(57)【要約】【課題】所定の排出位置に、安定かつスムーズにディスクを排出する。【解決手段】大小径の異なるディスク２Ａ，２Ｂが挿脱される装置本体３内に回動自在に支持され、ディスク２の挿入時にはディスク２に押圧されて挿入方向に回動され、ディスク２の排出時には排出方向に回動しディスク２を装置本体３外へ排出するイジェクトアーム２２と、大径ディスク２Ａを所定の排出位置に排出する回動位置にイジェクトアーム２２を係止する第１の係止部７６と、小径ディスク２Ｂを所定の排出位置に排出する回動位置にイジェクトアーム２２を係止する第２の係止部７７とを有するスライド部材２４とを備える。【選択図】図２６
2010176773.tif 000002
【特許請求の範囲】
【請求項１】
大小径の異なるディスクが挿脱される装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、
上記大径ディスクを所定の排出位置に排出する回動位置に上記イジェクトアームを係止する第１の係止部と、上記小径ディスクを所定の排出位置に排出する回動位置に上記イジェクトアームを係止する第２の係止部とを有するスライド部材とを備えるディスク搬送機構。
【請求項２】
上記スライド部材は、上記ディスクの挿排出方向と略直交する方向にスライド可能とされるとともに、上記ディスクの挿排出方向に亘って延在され上記ディスクの外周面を摺動させることにより挿排出のガイドを行うガイド辺が形成され、
上記第１及び第２の係止部は、上記ディスクの外径に応じてスライド位置が異なる請求項１記載のディスク搬送機構。
【請求項３】
小径ディスクの搬送時に上記スライド部材を該小径ディスクの挿入ガイド位置からのスライドを規制し、大径ディスクの搬送時に上記スライド部材のスライド規制を解除するロック機構を備える請求項２記載のディスク搬送機構。
【請求項４】
上記スライド部材を上記小径ディスク及び上記大径ディスクに応じた挿入ガイド位置においてのみ位置を規制するスライド位置規制部材と、
上記ディスクを上記装置本体内に引き込むローディングアームとを備え、
スライド位置が規制された上記スライド部材、上記イジェクトアーム及び上記ローディングアームによって上記ディスクのセンタリングを行う請求項２記載のディスク搬送機構。
【請求項５】
上記イジェクトアームには、上記ディスクの外周面にそれぞれ異なる角度で当接する複数の支持部が形成されている請求項４記載のディスク搬送機構。
【請求項６】
上記イジェクトアームを上記ディスクの排出方向へ回動付勢する付勢部材と、
上記イジェクトアームの上記ディスクの排出方向への回動を補助する回動補助部材とを備える請求項２記載のディスク搬送機構。
【請求項７】
上記回動補助部材は、上記ディスクの挿入待機時においては、上記イジェクトアームから離間されている請求項６記載のディスク搬送機構。
【請求項８】
上記イジェクトアームは、上記ディスクの排出時及び上記装置本体への電源非投入時において、上記ディスクの挿入方向へ回動可能とされている請求項６記載のディスク搬送機構。
【請求項９】
装置本体と、
上記装置本体の内外に亘って大小径の異なるディスクを搬送するディスク搬送機構と、
上記ディスクに対して情報信号の記録又は再生を行う記録及び／又は再生機構とを備え、
上記ディスク搬送機構は、
上記装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、
上記大径ディスクを所定の排出位置に排出する回動位置に上記イジェクトアームを係止する第１の係止部と、上記小径ディスクを所定の排出位置に排出する回動位置に上記イジェクトアームを係止する第２の係止部とを有するスライド部材とを備えるディスクドライブ。
【請求項１０】
ディスクドライブと接続された機器本体を備え、
上記ディスクドライブは、装置本体と、上記装置本体の内外に亘って大小径の異なるディスクを搬送するディスク搬送機構と、上記ディスクに対して情報信号の記録又は再生を行う記録及び／又は再生機構とを備え、
上記ディスク搬送機構は、
上記装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、
上記大径ディスクを所定の排出位置に排出する回動位置に上記イジェクトアームを係止する第１の係止部と、上記小径ディスクを所定の排出位置に排出する回動位置に上記イジェクトアームを係止する第２の係止部とを有するスライド部材とを備える電子機器。
【請求項１１】
ディスクが挿脱される装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、
上記イジェクトアームを上記排出方向に回動させる回動部材とを備え、
上記イジェクトアームは、上記ディスクの外周面にそれぞれ異なる角度で当接する複数の支持部が形成されているディスク搬送機構。
【請求項１２】
上記複数の支持部は、上記ディスクの外周面に、一の支持部から他の支持部へと順次当接されていく請求項１１記載のディスク搬送機構。
【請求項１３】
上記ディスクの挿排出方向に亘って延在され上記ディスクの外周面を摺動させることにより挿排出のガイドを行うガイド辺が形成され、上記ディスクの挿入ガイド位置に位置規制されるスライド部材を備える請求項１２記載のディスク搬送機構。
【請求項１４】
上記イジェクトアームは、大小径の異なるディスクを排出する請求項１３記載のディスク搬送機構。
【請求項１５】
上記ガイド辺は、上記装置本体に設けられ上記ディスクの挿排出を行う挿排出口の近傍まで形成されている請求項１４記載のディスク搬送機構。
【請求項１６】
装置本体と、
上記装置本体の内外に亘って大小径の異なるディスクを搬送するディスク搬送機構と、
上記ディスクに対して情報信号の記録又は再生を行う記録及び／又は再生機構とを備え、
上記ディスク搬送機構は、
上記装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、
上記イジェクトアームを上記排出方向に回動させる回動部材とを備え、
上記イジェクトアームは、上記ディスクの外周面にそれぞれ異なる角度で当接する複数の支持部が形成されているディスクドライブ。
【請求項１７】
ディスクドライブと接続された機器本体を備え、
上記ディスクドライブは、装置本体と、上記装置本体の内外に亘って大小径の異なるディスクを搬送するディスク搬送機構と、上記ディスクに対して情報信号の記録又は再生を行う記録及び／又は再生機構とを備え、
上記ディスク搬送機構は、
上記装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、
上記イジェクトアームを上記排出方向に回動させる回動部材とを備え、
上記イジェクトアームは、上記ディスクの外周面にそれぞれ異なる角度で当接する複数の支持部が形成されている電子機器。
【発明の詳細な説明】
【技術分野】
【０００１】
本発明は、ディスクを装置本体の内外に亘って搬送するディスク搬送機構、このディスク搬送機構を用いたディスクドライブ及びこのディスクドライブを用いた電子機器に関し、特にディスクを直接装置本体内に挿入する、いわゆるスロットインタイプのディスク搬送機構、ディスクドライブ及び電子機器に関する。
【背景技術】
【０００２】
光ディスクとしては、従来よりＣＤ(Compact Disk)やＤＶＤ(Digital Versatile Disk)ＢＤ(Blue-ray Disk)といった光ディスク、ＭＯ(Magneto optical)やＭＤ(Mini Disk)等の光磁気ディスクが広く知られており、これらディスクやディスクカートリッジ等に対応した各種のディスクドライブ装置が登場している。
【０００３】
ディスクドライブ装置には、筐体に設けられた蓋や扉を開放し、そこから臨むターンテーブルにディスクを直接装着するタイプ、筐体から水平方向に出し入れされるディスクトレイにディスクを載置することで、ディスクトレイが引き込まれた際にディスクが内部のターンテーブルに自動的に装着されるタイプ、或いはこのディスクトレイに設けられたターンテーブルにディスクを直接装着するタイプ等がある。しかしながら、何れのタイプも操作者にとって、蓋や扉を開閉したり、ディスクトレイを出し入れしたり、ターンテーブルにディスクを装着したりといった操作を必要とする。
【０００４】
これに対して、筐体の前面に設けられたディスク挿脱口からディスクを挿入するだけでディスクが自動的にターンテーブルに装着される、いわゆるスロットイン型のディスクドライブ装置がある。このスロットイン型のディスクドライブ装置には、ディスク挿脱口から挿入されたディスクを挟み込む相対向する一対のガイドローラを備え、これら一対のガイドローラを互いに逆向きに回転させることによって、ディスク挿脱口から挿入されたディスクを筐体の内部へと引き込むローディング動作と、このディスク挿脱口からディスクを筐体の外部へと排出するイジェクト動作とを行うものがある。
【０００５】
また、ディスクドライブ装置が搭載される、例えばパーソナルコンピュータ等の電子機器では、更なる小型軽量薄型化が求められており、それに伴うディスクドライブ装置の小型軽量薄型化の要求が高まっている背景から、スロットイン型のディスクドライブ装置では、フロントパネルのディスク挿脱口から挿入されたディスクの外周部に当接される当接部が先端部に設けられ、基端部が回動可能に支持された複数の回動アームを配置し、これら回動アームを当該ディスクと平行な面内で回動させながら、ディスクをディスク挿脱口から筐体の内部へと引き込むローディング動作と、ディスクをディスク挿脱口から筐体の外部へと排出するイジェクト動作とを行うディスクドライブ装置が供給されている（例えば、特許文献１を参照。）。
【０００６】
このような複数の回動アームを配置し、これら回動アームを当該ディスクと平行な面内で回動させながら、ディスクローディング動作と、イジェクト動作とを行うディスクドライブ装置においては、光ディスクの排出方向へ回動付勢しているねじりコイルバネ等の付勢部材によって回動アームを回動させることで光ディスクの排出を行っている。ここで、光ディスクを装置本体外へ排出する際には、光ディスクの中央に形成された開口部が外部に臨まされるとともに、自重により光ディスクが落下しない程度の位置で静止させることが求められる。かかる位置に静止させることで、ユーザは光ディスクの中心孔及び側面を把持することができ、信号記録面に触れることなく光ディスクを取り扱うことができるためである。
【０００７】
しかし、上記ディスクドライブ装置においては、光ディスクの排出のための駆動力がバネ弾性の力のみであることから、装置本体外へ排出される光ディスクの静止位置にばらつきが生じやすい。また、付勢部材の経年変化によって弾性力が変化することによっても光ディスクの静止位置にばらつきが生じることがある。さらに、光ディスクが挿入又は排出されるディスク挿脱口には、光ディスクの静止位置の安定化や、光ディスクの信号記録面に付着した塵埃等を除去するために、不織布等からなるパネルカーテンが設けられることがある。しかし、パネルカーテンの品質にばらつきがあると、光ディスクの静止位置を安定化させることは困難となる。
【０００８】
また、複数の回動アームを揺動させながら光ディスクの挿排出を行うため、光ディスクの軌道が安定せず、特に小径ディスクの挿排出においては、筐体前面に設けられたディスク挿脱口からストレートに排出されない等、スムーズな挿排出を行うことができなかった。
【先行技術文献】
【特許文献】
【０００９】
【特許文献１】特開２００５−１００５９５号公報
【発明の概要】
【発明が解決しようとする課題】
【００１０】
そこで、本発明は、装置本体に回動自在に支持されたアームを用いてディスクを搬送するディスク搬送機構において、イジェクト操作の際に、所定の排出位置に安定してディスクを排出することができ、またディスクをスムーズに排出させることができるディスク搬送機構、ディスクドライブ及び電子機器を提供することを目的とする。
【課題を解決するための手段】
【００１１】
上述した課題を解決するために、本発明に係るディスク搬送機構は、大小径の異なるディスクが挿脱される装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、上記大径ディスクを所定の排出位置に排出する回動位置に上記イジェクトアームを係止する第１の係止部と、上記小径ディスクを所定の排出位置に排出する回動位置に上記イジェクトアームを係止する第２の係止部とを有するスライド部材とを備えるものである。
【００１２】
また、本発明に係るディスクドライブは、装置本体と、上記装置本体の内外に亘って大小径の異なるディスクを搬送するディスク搬送機構と、上記ディスクに対して情報信号の記録又は再生を行う記録及び／又は再生機構とを備え、上記ディスク搬送機構は、上記装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、上記大径ディスクを所定の排出位置に排出する回動位置に上記イジェクトアームを係止する第１の係止部と、上記小径ディスクを所定の排出位置に排出する回動位置に上記イジェクトアームを係止する第２の係止部とを有するスライド部材とを備えるものである。
【００１３】
また、本発明に係る電子機器は、ディスクドライブと接続された機器本体を備え、上記ディスクドライブは、装置本体と、上記装置本体の内外に亘って大小径の異なるディスクを搬送するディスク搬送機構と、上記ディスクに対して情報信号の記録又は再生を行う記録及び／又は再生機構とを備え、上記ディスク搬送機構は、上記装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、上記大径ディスクを所定の排出位置に排出する回動位置に上記イジェクトアームを係止する第１の係止部と、上記小径ディスクを所定の排出位置に排出する回動位置に上記イジェクトアームを係止する第２の係止部とを有するスライド部材とを備えるものである。
【００１４】
また、上述した課題を解決するために、本発明に係るディスク搬送機構は、ディスクが挿脱される装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、上記イジェクトアームを上記排出方向に回動させる回動部材とを備え、上記イジェクトアームは、上記ディスクの外周面にそれぞれ異なる角度で当接する複数の支持部が形成されているものである。
【００１５】
また、本発明に係るディスクドライブは、装置本体と、上記装置本体の内外に亘って大小径の異なるディスクを搬送するディスク搬送機構と、上記ディスクに対して情報信号の記録又は再生を行う記録及び／又は再生機構とを備え、上記ディスク搬送機構は、上記装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、上記イジェクトアームを上記排出方向に回動させる回動部材とを備え、上記イジェクトアームは、上記ディスクの外周面にそれぞれ異なる角度で当接する複数の支持部が形成されているものである。
【００１６】
また、本発明に係る電子機器は、ディスクドライブと接続された機器本体を備え、上記ディスクドライブは、装置本体と、上記装置本体の内外に亘って大小径の異なるディスクを搬送するディスク搬送機構と、上記ディスクに対して情報信号の記録又は再生を行う記録及び／又は再生機構とを備え、上記ディスク搬送機構は、上記装置本体内に回動自在に支持され、上記ディスクの挿入時には該ディスクに押圧されて挿入方向に回動され、上記ディスクの排出時には排出方向に回動し上記ディスクを装置本体外へ排出するイジェクトアームと、上記イジェクトアームを上記排出方向に回動させる回動部材とを備え、上記イジェクトアームは、上記ディスクの外周面にそれぞれ異なる角度で当接する複数の支持部が形成されているものである。
【発明の効果】
【００１７】
本発明によれば、ディスクの径に応じた位置にイジェクトアームを係止させることができ、イジェクトアームの回動量をディスク径に応じて確実に規制することができる。したがって、ディスクの排出位置を所望の位置に設定することができ、また、この排出位置に安定してディスクを排出させることができる。
【図面の簡単な説明】
【００１８】
【図１】本発明が適用されたディスクドライブ装置が搭載される電子機器を示す外観斜視図である。
【図２】本発明が適用されたディスクドライブ装置を示す外観斜視図である。
【図３】本発明が適用されたディスクドライブ装置の内部を示す斜視図である。
【図４】ボトムケースを示す外観斜視図である。
【図５】トップカバーを示す外観斜視図であり、（ａ）は外面側を示し、（ｂ）は内面側を示す。
【図６】回路基板を示す外観斜視図であり、（ａ）はトップカバー側を示し、（ｂ）はボトムケース側を示す。
【図７】ローディングアームを示す外観斜視図であり、（ａ）はトップカバー側を示し、（ｂ）はボトムケース側を示す。
【図８】ローディングカムプレートを示す外観斜視図であり、（ａ）はトップカバー側を示し、（ｂ）はボトムケース側を示す。
【図９】イジェクトアームを示す外観斜視図であり、（ａ）はトップカバー側を示し、（ｂ）はボトムケース側を示す。
【図１０】スライドガイドレールを示す外観斜視図であり、（ａ）はトップカバー側を示し、（ｂ）はボトムケース側を示す。
【図１１】サブシャーシユニットを示す外観斜視図であり、（ａ）はトップカバー側を示し、（ｂ）はボトムケース側を示す。
【図１２】シャーシプレートを示す外観斜視図であり、（ａ）はトップカバー側を示し、（ｂ）はボトムケース側を示す。
【図１３】スライドアームを示す外観斜視図であり、（ａ）はトップカバー側を示し、（ｂ）はボトムケース側を示す。
【図１４】スライド操作板を示す外観斜視図であり、（ａ）はトップカバー側を示し、（ｂ）はボトムケース側を示す。
【図１５】位置規制板を示す外観斜視図であり、（ａ）はトップカバー側を示し、（ｂ）はボトムケース側を示す。
【図１６】ベースユニットを示す外観斜視図であり、（ａ）はトップカバー側を示し、（ｂ）はボトムケース側を示す。
【図１７】メインスライダーを示す外観斜視図であり、（ａ）はトップカバー側を示し、（ｂ）はボトムケース側を示す。
【図１８】サブスライダーを示す外観斜視図であり、（ａ）はトップカバー側を示し、（ｂ）はボトムケース側を示す。
【図１９】小径ディスクが挿入されているディスクドライブ装置を示す平面図である。
【図２０】小径ディスクが挿入されたときのスイッチ操作カム部の動作を説明する平面図である。
【図２１】小径ディスクを引き込むディスクドライブ装置を示す平面図である。
【図２２】小径ディスクをディスク装着位置へ搬送し、チャッキングを行うディスクドライブ装置を示す平面図である。
【図２３】小径ディスクをリリースしたディスクドライブ装置を示す平面図である。
【図２４】小径ディスクを挟持しているディスクドライブ装置を示す平面図である。
【図２５】小径ディスクを排出しているディスクドライブ装置を示す平面図である。
【図２６】小径ディスクをディスク挿脱位置まで搬送したディスクドライブ装置を示す平面図である。
【図２７】挿入待機状態に復帰したディスクドライブ装置を示す平面図である。
【図２８】大径ディスクが挿入されているディスクドライブ装置を示す平面図である。
【図２９】（ａ）はロックピンがロック溝から退避する動作を説明する平面図であり、（ｂ）は大径ディスクが挿入されたときのスイッチ操作カム部の動作を説明する平面図である。
【図３０】大径ディスクを引き込むディスクドライブ装置を示す平面図である。
【図３１】大径ディスクをディスク装着位置へ搬送し、チャッキングを行うディスクドライブ装置を示す平面図である。
【図３２】大径ディスクをリリースしたディスクドライブ装置を示す平面図である。
【図３３】大径ディスクを挟持しているディスクドライブ装置を示す平面図である。
【図３４】大径ディスクを排出しているディスクドライブ装置を示す平面図である。
【図３５】大径ディスクをディスク挿脱位置まで搬送したディスクドライブ装置を示す平面図である。
【図３６】挿入待機状態に復帰したディスクドライブ装置を示す平面図である。
【発明を実施するための形態】
【００１９】
以下、本発明が適用されたディスク搬送機構、ディスクドライブ及び電子機器について、図面を参照しながら詳細に説明する。なお、説明は以下の順序で行う。
１．装置本体
２．ディスク搬送機構
３．ベースユニット
４．駆動機構
５．ディスク挿排出行程
【００２０】
＜１．装置本体＞
このディスクドライブ装置１は、例えば図１に示すように、ノート型パーソナルコンピュータ１０００の装置本体１００１に搭載されたスロットイン型のディスクドライブ装置１である。このディスクドライブ装置１は、図２に示すように、全体を略矩形箱状に形成され、ＣＤ(Compact Disk)やＤＶＤ(Digital Versatile Disk)、ＢＤ(Blue-ray Disc)といった光ディスク２に対して情報信号の記録・再生を行うことが可能となっている。また、ディスクドライブ装置１は、直径が約１２ｃｍの大径ディスク２Ａ及び直径が約８ｃｍの小径ディスク２Ｂのいずれも装着可能とされている。
【００２１】
先ず、このディスクドライブ装置１の具体的な構成について説明する。このディスクドライブ装置１は、図２乃至図５に示すように、外筐となる装置本体３を備え、この装置本体３は、下部筐体である略扁平箱状のボトムケース４と、このボトムケース４の上部開口部を覆う天板であるトップカバー５と、光ディスク２の挿脱面となるフロントパネル６とから構成されている。装置本体３内には、大小径の異なる光ディスク２を装置本体３の内外に亘って搬送するディスク搬送機構２０と、装置本体３内に搬送された光ディスク２に対して情報信号の記録及び／又は再生を行う光ピックアップを備えたベースユニット１３０と、ディスク搬送機構２０に駆動力を供給する駆動機構１５０が設けられている。
【００２２】
そして、装置本体３は、フロントパネル６に設けられたディスク挿脱口１５から光ディスク２が挿入され、ディスク搬送機構２０によって内部に搬送する。なお、装置本体３について、フロントパネル６が設けられ光ディスク２が挿脱される面を前面３ａ、光ディスク２の挿入方向に対する面を背面３ｂ、フロントパネル６に向かって左側の側面を左側面３ｃ、フロントパネル６に向かって右側の側面を右側面３ｄとする。
【００２３】
トップカバー５は、図５（ａ）（ｂ）に示すように、薄い板金からなり、ボトムケース４の上部開口部を閉塞する天板部５ａと、この天板部５ａの周囲がボトムケース４の両側面に沿って僅かに折り曲げられた一対の側板部５ｂとを有している。天板部５ａの略中央部には、略円形状の開口部７が形成されている。この開口部７は、後述するチャッキング動作時に光ディスク２の中心孔２ａに係合されるターンテーブル１３２ａの係合突部１４３ａを外部に臨ませるためのものである。また、天板部５ａの開口部７の周囲は、ターンテーブル１３２ａ上に保持された光ディスク２の中心孔２ａの周囲と当接されるように、装置本体３の内側に向かって僅かに突出した当接突部８を形成している。
【００２４】
ボトムケース４は、図４に示すように、略扁平箱状に形成された板金からなり、その底面部は、略矩形状であり、右側の側面部には、この底面部よりも底上げされて外側へと張り出したデッキ部４ａが設けられている。デッキ部４ａには、後述する光ディスク２を装置本体３内に引き込むローディングアーム２１及びローディングアーム２１を駆動させるローディングカムプレート２３が回動自在に支持されている。また、デッキ部４ａは、装置本体３の前面３ａ側の側縁にローディングアーム２１の浮き上がりを防止するとともに回動をガイドするデッキガイドレール１９が取り付けられている。
【００２５】
ボトムケース４は、底面部に、各部の動作を検出する検出スイッチ等が配設された回路基板１０が取り付けられている。図６に示すように、回路基板１０は、駆動制御回路を構成するＩＣチップ等の電子部品や、各部の電気的な接続を図るためのコネクタが実装されるとともに、複数の検出スイッチ群１１が配置されている。具体的に、回路基板１０は、大径ディスク２Ａの挿入を検出する第１、第２の大径ディスク検出スイッチ１１ａ，１１ｂと、小径ディスク２Ｂの挿入を検出する小径ディスク検出スイッチ１１ｃと、それぞれメインスライダー１５２のスライドに応じて押圧されるイジェクト位置検出スイッチ１１ｄ、ホーム位置検出スイッチ１１ｅ及びリリース位置検出スイッチ１１ｆとを有する。
【００２６】
またボトムケース４は、底面部に、ターンテーブル１３２ａと光ディスク２とのチャッキングを解除するチャッキング解除ピン１２が立設されている。チャッキング解除ピン１２は、後述するベースユニット１３０のトラバースシャーシ１３１が記録再生位置からチャッキング解除位置まで下降されると、ベースユニット１３０のターンテーブル１３２ａに保持されている光ディスク２の中心孔２ａ近傍を突き上げることによりターンテーブル１３２ａと光ディスク２とのチャッキングを解除する。
【００２７】
また、ボトムケース４の背面側には、後述するディスク搬送機構２０のサブシャーシユニット２５が取り付けられている。ボトムケース４は、サブシャーシユニット２５の下方に回路基板１０が配設され、サブシャーシユニット２５の上方がイジェクトアーム２２やスライドガイドレール２４等が移動するディスク搬送領域とされている。
【００２８】
なお、ボトムケース４は、底面部に後述するメインスライダー１５２をスライド自在に支持する支持レール１３や、ベースユニット１３０のトラバースシャーシ１３１の昇降をガイドするスリットが上下方向に形成された一対の昇降ガイド壁１４，１４が立ち上がり形成されている。
【００２９】
装置本体３の前面３ａを構成するフロントパネル６は、図２に示すように、略矩形状に形成され、長手方向に亘って光ディスク２が水平方向に出し入れされる矩形状のディスク挿脱口１５が設けられている。すなわち、光ディスク２は、このディスク挿脱口１５から装置本体３の内部へと挿入したり、或いはこのディスク挿脱口１５から装置本体３の外部へと排出したりすることが可能となっている。ディスク挿脱口１５には、長手方向と直交する方向の両辺部に図示しないパネルカーテンが形成されている。パネルカーテンは、長尺状に切断された不織布等からなりフロントパネル６の背面側に接着剤等によって貼着されることにより、装置本体３内に塵埃等が侵入することを防止すると共に、光ディスク２が挿脱される際にディスク表面に摺接し、これにより光ディスク２に付着した塵埃等の除去、光ディスク２の飛び出しやディスク挿脱口１５からの脱落の防止を図る。
【００３０】
また、フロントパネル６の前面には、光ディスク２に対するアクセス状態を点灯表示する表示部１６や、光ディスク２を排出する際に押圧されるイジェクトボタン１７が設けられている。
【００３１】
＜２．ディスク搬送機構＞
次いで、かかる装置本体３の内外に亘って光ディスク２を搬送するディスク搬送機構２０について説明する。ディスク搬送機構２０は、ディスク挿脱口１５から光ディスク２が挿脱されるディスク挿脱位置（図２７、図３５）と、ディスク装着部１３２のターンテーブル１３２ａに光ディスク２が装着されるディスク装着位置（図２２、図３１）との間で光ディスク２の搬送を行う。
【００３２】
このディスク搬送機構２０は、デッキ部４ａと天板部５ａとの間で移動操作され、装置本体３内に挿入される光ディスク２の主面と平行な面内で揺動可能とされたローディングアーム２１及びイジェクトアーム２２と、後述する駆動機構１５０からの駆動力をローディングアーム２１に伝達するローディングカムプレート２３と、光ディスク２の外周面が摺動され挿排出をガイドするスライドガイドレール２４と、スライドガイドレール２４及びイジェクトアーム２２を支持するサブシャーシユニット２５とを有する。
【００３３】
このディスク搬送機構２０は、ディスク挿脱口１５より光ディスク２が挿入され、イジェクトアーム２２がディスク径に応じた所定の位置まで回動されると、駆動機構１５０の駆動力を受けたローディングアーム２１が背面３ｂ側に回動されることにより光ディスク２を自動的に装置本体３内に引き込む。かかる光ディスク２の引き込み行程において、ディスク搬送機構２０は、ローディングアーム２１、イジェクトアーム２２及びスライドガイドレール２４で光ディスク２を支持することによりセンタリングを行い、光ディスク２の中心孔２ａがターンテーブル１３２ａと対峙するディスク装着位置まで搬送する。さらに、ディスク搬送機構２０は、光ディスク２の排出が指示されると、イジェクトアーム２２が前面３ａ側に回動することにより、光ディスク２の中心孔２ａがディスク挿脱口１５より臨まされるディスク挿脱位置まで排出する。
【００３４】
このとき、ディスク搬送機構２０は、ディスク径に応じてスライドガイドレール２４の位置規制が行われ、イジェクトアーム２２がスライドガイドレール２４に係止されることにより、イジェクトアーム２２がディスク径に応じた回動量とされる。これにより、ディスク搬送機構２０は、大径ディスク２Ａ及び小径ディスク２Ｂのいずれも、中心孔２ａがディスク挿脱口１５より臨むディスク挿脱位置まで搬送し、かつ脱落することなく保持することができる。
【００３５】
［ローディングアーム］
以下、各構成部材について詳細に説明する。ローディングアーム２１は、光ディスク２をベースユニット１３０のディスク装着部１３２上に引き込むものであり、基端部が上記ボトムケース４のデッキ部４ａ上に、ディスク装着部１３２よりもディスク挿脱口１５側に回動自在に支持され、先端部が図３中矢印ａ１方向及び矢印ａ２方向に回動可能とされている。具体的に、ローディングアーム２１は、図７（ａ）（ｂ）に示すように、平板状の板金からなるアーム本体２１ａを備え、このアーム本体２１ａの主面部に挿通孔３０が穿設され、この挿通孔３０がデッキ部４ａに回動自在にビス３１によって係止されることにより、このビス３１を支点にデッキ部４ａ上を、光ディスク２をローディングする図３及び図７中矢印ａ１方向及び光ディスク２をイジェクトする同図中矢印ａ２方向へ回動可能に支持されている。
【００３６】
また、ローディングアーム２１は、アーム本体２１ａの先端部にディスク挿脱口１５から挿入された光ディスク２の外周部と当接されるガイドローラ３３が上方に向かって設けられている。ガイドローラ３３はアーム本体２１ａの先端に突設された支持ピンに回転可能に取り付けられている。また、ガイドローラ３３は、光ディスク２よりも柔らかい樹脂からなり、ディスク挿脱口１５から挿入された光ディスク２の外周部と当接される中央部分が内側に湾曲し、その両端部が拡径されたフランジ部として光ディスク２の高さ方向の移動を規制する略鼓形形状を有している。
【００３７】
さらに、図７（ｂ）に示すように、ローディングアーム２１は、後述するローディングカムプレート２３の第１のカム溝４２に挿通係合される係合凸部３４が突設されている。そしてローディングアーム２１は、この係合凸部３４がローディングカムプレート２３の第１のカム溝４２に沿って移動することによりローディングカムプレート２３を回動し、またローディングカムプレート２３の回動に応じて回動される。なお、デッキ部４ａには、ローディングカムプレート２３の第１のカム溝４２を挿通した係合凸部３４の回動領域に応じて円弧状の挿通孔３５が開口されている。
【００３８】
［ローディングカムプレート］
ローディングアーム２１を駆動するローディングカムプレート２３は、図８（ａ）（ｂ）に示すように、平板状の板金からなり、後述する駆動機構１５０のメインスライダー１５２と係合されることにより、該メインスライダー１５２の移動に伴ってデッキ部４ａ上を回動され、これにより上記ローディングアーム２１の回動、及び後述するスライドガイドレール２４のロックあるいはロック解除を行うものである。ローディングカムプレート２３は、ビス３９によってデッキ部４ａよりボトムケース４上に張り出した支持片４ｂ（図４参照）に回動可能に支持されることにより、デッキ部４ａ上をビス３９を支点に図３中矢印ｂ１方向及び矢印ｂ２方向へ回動可能とされている。またローディングカムプレート２３は、装置本体３の前面３ａ側に延在する一端にローディングアーム２１と係合されるアーム係合部４０が形成され、装置本体３の背面３ｂ側に延在する一端にスライドガイドレール２４と係脱するレールロック部４１が形成されている。
【００３９】
アーム係合部４０は、ローディングアーム２１に突設された係合凸部３４が挿通される第１のカム溝４２が形成されている。第１のカム溝４２は、ローディングカムプレート２３及びローディングアーム２１の回動に応じて係合凸部３４が移動可能な長孔状に形成されている。
【００４０】
レールロック部４１は、デッキ部４ａよりボトムケース４の底面部上に張り出し、スライドガイドレール２４のスライド領域に延在されている。図８（ｂ）に示すように、レールロック部４１は、スライドガイドレール２４のロック溝７８に係脱されるロックピン４４が底面部側に向かって突出されている。ロックピン４４は、大径ディスク２Ａの挿入に伴ってローディングアーム２１によってローディングカムプレート２３が矢印ｂ１方向へ回動されると、スライドガイドレール２４のロック溝７８から退避し、スライド可能とする。一方、ロックピン４４は、小径ディスク２Ｂの挿入時にはローディングアーム２１によってローディングカムプレート２３が矢印ｂ１方向へほとんど回動されないため、スライドガイドレール２４のロック溝７８から退避することなく、スライドを規制した状態を維持する。
【００４１】
また、ローディングカムプレート２３は、レールロック部４１の基端側に、メインスライダー１５２のローディングカム１５５に係合するスライダーピン４５が底面側に突出されている。ローディングカムプレート２３は、メインスライダー１５２のスライドに伴ってスライダーピン４５がローディングカム１５５に沿ってスライドすることにより、矢印ｂ１方向又はｂ２方向へ回動され、これによりローディングアーム２１を回動させる。
【００４２】
また、ローディングカムプレート２３は、デッキ部４ａの背面側に形成された挿通孔４６に挿通されるとともに、コイルバネ４７の一端が係止する係止凸部４８が形成されている。ローディングカムプレート２３は、係止凸部４８を介してコイルバネ４７の付勢力を受けることにより、常時矢印ｂ２方向へ回動付勢されている。係止凸部４８は、デッキ部４ａよりも高い位置に段差を有する段差部４９に下方に向かって突設され、デッキ部４ａに支持されたコイルバネ４７の一端が係止されている。
【００４３】
ローディングカムプレート２３は、光ディスク２の挿入待機状態において、スライダーピン４５がメインスライダー１５２のローディングカム１５５に係合することにより、コイルバネ４７の付勢力を受けた矢印ｂ２方向への回動位置が規制されている。このとき、ローディングカムプレート２３は、レールロック部４１が前面３ａ側に回動されて、ロックピン４４がスライドガイドレール２４のロック溝７８に係合されている。
【００４４】
そして、ローディングカムプレート２３は、大径ディスク２Ａが挿入されると、ローディングアーム２１によって矢印ｂ１方向へ回動されることにより、スライダーピン４５がローディングカム１５５の大径ディスク用カム部１５５ａに移動する。そして、メインスライダー１５２がスライドされると、ローディングカムプレート２３は、大径ディスク用カム部１５５ａの形状に従って回動され、ローディングアーム２１によって大径ディスク２Ａを引き込む。
【００４５】
また、ローディングカムプレート２３は、小径ディスク２Ｂが挿入されると、ローディングアーム２１によって回動されることなく初期位置を維持する。そして、メインスライダー１５２がスライドされると、ローディングカムプレート２３は、スライダーピン４５がローディングカム１５５の小径ディスク用カム部１５５ｂの形状に従って回動され、ローディングアーム２１によって小径ディスク２Ｂを引き込む。
【００４６】
また、光ディスク２の排出時には、ローディングカムプレート２３は、メインスライダー１５２のスライドに応じてスライダーピン４５が大径ディスク用カム部１５５ａ又は小径ディスク用カム部１５５ｂにガイドされ、ローディングアーム２１を矢印ａ２方向へ回動させる。これにより、光ディスク２は、イジェクトアーム２２とローディングアーム２１とに挟持されながら排出されていく。
【００４７】
［イジェクトアーム］
ディスク装着部１３２から光ディスク２をディスク挿脱口１５外へ排出するイジェクトアーム２２は、ローディングアーム２１が形成された側面とは反対側の側面であってディスク装着部１３２よりも装置本体３の背面３ｂ側に配設されている。そして、イジェクトアーム２２は、光ディスク２に押圧されながら記録再生位置にガイドする図３中矢印ｃ１方向及び光ディスク２をディスク挿脱口１５側に排出する図３中矢印ｃ２方向に回動される。このイジェクトアーム２２は、図３及び図９（ａ）（ｂ）に示すように、サブシャーシユニット２５に回転自在に支持された支軸５１と、光ディスク２の外周面を支持するディスク支持部５２と、後述するスライドガイドレール２４と係脱される係止ピン５３とを備える。
【００４８】
支軸５１は、イジェクトアーム２２の下面側に突設され、ボトムケース４の底面部に設けられたサブシャーシユニット２５に設けられた軸受け部１０４に挿通支持されている。これにより、イジェクトアーム２２は、図３中矢印ｃ１方向及びｃ２方向に回動可能に支持されている。また、支軸５１は、軸受け部１０４に嵌装されているコイルバネ５５の他端が係止されている。コイルバネ５５は、一端がサブシャーシユニット２５のシャーシプレート９０に係止されており、これにより、イジェクトアーム２２は、コイルバネ５５の付勢力を受けて、常時光ディスク２を排出する矢印ｃ２方向へ回動付勢されている。
【００４９】
光ディスク２の外周面を支持するディスク支持部５２は、先端部に形成され光ディスク２のボトムケース４側への沈み込みを防止するピックアップ部５６と、光ディスク２の外周面を支持する第１の支持ローラ５７及び第２の支持ローラ５８とを有する。
【００５０】
ピックアップ部５６は、イジェクトアーム２２が装置本体３の前面３ａ側に回動された挿入待機状態において、先端がディスク挿脱口１５に向かうように形成された樹脂成形部材であり、先端に向かって漸次薄肉とされる傾斜面が形成されている。ピックアップ部５６は、この傾斜面によって光ディスク２の記録面側を支持し、ボトムケース４側への沈み込みを防止するとともに、傾斜面を摺動させることにより第１の支持ローラ５７側へ光ディスク２をガイドする。
【００５１】
第１、第２の支持ローラ５７，５８は、光ディスク２の挿排出行程においてディスク外周面が当接されることにより光ディスク２を支持するものであり、イジェクトアーム２２の先端側に、上方に向かって設けられている。第１、第２の支持ローラ５７，５８はイジェクトアーム２２の先端側に突設された支持ピンに回転可能に取り付けられている。また、第１、第２の支持ローラ５７，５８は、光ディスク２よりも柔らかい樹脂からなり、ディスク挿脱口１５から挿入された光ディスク２の外周部と当接される中央部分が内側に湾曲し、その両端部が拡径されたフランジ部として光ディスク２の高さ方向の移動を規制する略鼓形形状を有している。
【００５２】
ディスク支持部５２の先端側に設けられた第１の支持ローラ５７は、光ディスク２の挿入時及び排出途中においてディスク外周面を支持するものである。また、第１の支持ローラ５７よりも後方に設けられた第２の支持ローラ５８は、光ディスクのセンタリング時及び排出開始時においてディスク外周面を支持するものである。これら第１、第２のローラ５７，５８は、イジェクトアーム２２の先端に揺動自在に設けられた回動板５２ａに立設された支持ピンに回転自在に挿通支持されている。
【００５３】
すなわち、イジェクトアーム２２は、光ディスク２が挿入されると、先ずピックアップ部５６によって光ディスク２を支持し、第１の支持ローラ５７へガイドする。そして、イジェクトアーム２２は、第１の支持ローラ５７でディスク外周面を支持しながら装置本体３の背面側に押圧され、矢印ｃ１方向へ回動されていく。光ディスク２が記録再生位置付近まで搬送されると、ディスク外周面が第１の支持ローラ５７から第２の支持ローラ５８へ引き渡され、第２の支持ローラ５８によって光ディスク２を支持する。また、ディスク排出開始時は、第２の支持ローラ５８によってディスク外周面を支持し、装置本体３の前面３ａ側に押圧する。
【００５４】
このとき、イジェクトアーム２２は、第２の支持ローラ５８によってディスク外周面を支持しているため、排出方向に対する光ディスク２の押し出し角度を抑え、スムーズな排出を行うことができる。すなわち、光ディスク２の排出は、イジェクトアーム２２のディスク支持部５２がディスク外周面を押圧することにより行われるが、排出開始時においてディスク支持部５２の押圧方向が排出方向に対して傾いていると、押圧力が装置本体３の側面側に分散してスムーズな排出が困難となり、また光ディスク２やイジェクトアーム２２、スライドガイドレール２４に過剰な負荷を与えることとなる。一方、光ディスク２の排出開始時において、ディスク支持部５２のディスク外周面に対する当接角度を排出方向に対して小さい傾きに設定すると、イジェクトアーム２２の押し出し量が不足し所定の挿脱位置まで搬送できなくなる。また、押し出し量が不足を解消しようとすると、イジェクトアーム２２の回動領域が拡大し、装置本体３の大型化を招く。そこで、ディスクドライブ装置１では、イジェクトアーム２２のディスク支持部５２にディスク外周面に異なる角度で当接する第１、第２の支持ローラ５７，５８を設け、光ディスク２の排出開始時には第２の支持ローラ５８を排出方向に対する傾きを抑えた角度で当接させ、排出終了時には第１の支持ローラ５７で所定の挿脱位置まで押し出すこととしている。
【００５５】
また、イジェクトアーム２２は、装置本体３の背面３ｂ側に、スライド操作板９２及びスライドガイドレール２４と係脱される係止ピン５３が形成されている。係止ピン５３は、ボトムケース４の底面側に突設されるとともに、スライドガイドレール２４に形成された第１、第２の押圧辺７４，７５と、第１、第２の係止辺７６，７７との間に回動可能とされている。また、係止ピン５３は、シャーシプレート９０の第２の挿通孔１００を挿通し、スライド操作板９２のスライド領域上に臨まされている。
【００５６】
そして、係止ピン５３は、光ディスク２の記録再生前に、サブシャーシユニット２５のスライド操作板９２によって押圧されることにより、イジェクトアーム２２を矢印ｃ１方向へ回動させてディスク支持部５２を光ディスク２の外周面から離間させる。また、係止ピン５３は、スライドガイドレール２４を押圧して矢印ｄ１方向へスライドさせることにより光ディスク２の外周面が摺動するレール部材７３を光ディスク２の外周面から離間させる。さらに、係止ピン５３は、光ディスク２の排出時には、スライドガイドレール２４に係止されディスク径に応じた位置までイジェクトアーム２２を回動させる。なお、係止ピン５３は、サブシャーシユニット２５に形成された第２の挿通孔１００に挿通されている。
【００５７】
また、イジェクトアーム２２は、光ディスク２の排出時にサブシャーシユニット２５によって押圧されることにより光ディスク２を排出する矢印ｂ２方向への回動が補助される回動補助ピン５９が形成されている。回動補助ピン５９は、ボトムケース４の底面側に突設されるとともに、サブシャーシユニット２５のスライド操作板９２のスライド領域上に形成されている。そして、イジェクトアーム２２は、光ディスク２の排出時に、回動補助ピン５９がスライド操作板９２に設けられた回動補助バネ１２０に付勢されることにより矢印ｂ２方向への回動力が付加され、光ディスク２を確実に挿脱位置まで搬送することができる。
【００５８】
また、イジェクトアーム２２は、矢印ｂ１方向への回動に伴って回路基板１０に実装された第１の大径ディスク検出スイッチ１１ａ及び小径ディスク検出スイッチ１１ｃを操作するスイッチ操作カム部６０が形成されている。スイッチ操作カム部６０は、支軸５１の近傍より回路基板１０側へ折り曲げられることにより形成され、イジェクトアーム２２が回動されると、第１の大径ディスク検出スイッチ１１ａ及び小径ディスク検出スイッチ１１ｃを押圧可能とされている。
【００５９】
そして、スイッチ操作カム部６０は、光ディスク２の挿入待機状態においては、イジェクトアーム２２が矢印ｃ２方向へ回動されることにより、小径ディスク検出スイッチ１１ｃを押圧するとともに第１の大径ディスク検出スイッチ１１ａから離間されている。この状態で、小径ディスク２Ｂが挿入されると、スイッチ操作カム部６０は、小径ディスク検出スイッチ１１ｃから離間し、第１の大径ディスク検出スイッチ１１ａからも離間した位置に回動される。ディスクドライブ装置１は、かかる検出スイッチ群１１の押下状態を検出することにより、小径ディスク２Ｂが挿入されたことがわかる。
【００６０】
一方、挿入待機状態において、大径ディスク２Ａが挿入されると、スイッチ操作カム部６０は、小径ディスク検出スイッチ１１ｃから離間し、第１の大径ディスク検出スイッチ１１ａを押下する位置に回動される。このとき、スライドガイドレール２４は、大径ディスク２Ａに押圧されて左側面３ｃ側へスライドされることにより、スイッチ孔９４より上方に突出している第２の大径ディスク検出スイッチ１１ｂを押下している。ディスクドライブ装置１は、かかる検出スイッチ群１１の押下状態を検出することにより、大径ディスク２Ａが挿入されたことがわかる。
【００６１】
［スライドガイドレール］
光ディスク２の挿排出をガイドするスライドガイドレール２４は、図３及び図１０に示すように、全体を略Ｌ字状に形成され、サブシャーシユニット２５にスライド自在に支持されることにより光ディスク２の挿排出方向と略直交する図３中矢印ｄ１及びｄ２方向へスライド可能とされている。このスライドガイドレール２４は、光ディスク２の挿排出をガイドするとともに、ローディングアーム２１及びイジェクトアーム２２とによって光ディスク２のセンタリングを行うものである。
【００６２】
スライドガイドレール２４は、光ディスク２の挿入方向左側の外周面が摺動されるガイド部７０と、サブシャーシユニット２５のシャーシプレート９０に支持されるガイドプレート７１とを有する。ガイド部７０は、ディスク搬送領域となる上面７０ａ側にガイドプレート７１から連続する長尺状の板金に光ディスク２が低抵抗で摺動可能な樹脂部材からなるレール部材７３が取り付けられることにより、装置本体３の前面３ａ側にかけて光ディスク２の挿排出方向と平行に延設されている。レール部材７３は、先端がディスク挿脱口１５とほぼ連続されるとともに左側面３ｃ側へ傾斜され、光ディスク２を引き込みやすくされている。また、レール部材７３は、右側面側が開放されるとともに左側面及び上下面が形成されることにより断面略コ字状をなし、光ディスク２の外周面を３方面から支持し、上下や左右への傾きを防止して、搬送方向に向かって真っ直ぐに搬送可能となるようガイドする。
【００６３】
また、レール部材７３は、装置本体３の前面３ａ近傍まで延設されることにより、光ディスク２の挿排出の全行程において、光ディスク２の外周面が摺動し、光ディスク２を搬送本校に向かって真っ直ぐに搬送させる。したがって、ディスクドライブ装置１は、光ディスク２がローディングアーム２１やイジェクトアーム２２の回動により蛇行することなく、装置本体３の前後方向に真っ直ぐに搬送させることができ、スムーズな搬送を可能とするとともに、見た目にも品位のよいディスク搬送を行うことができる。
【００６４】
ガイドプレート７１は、装置本体３の背面３ｂ側に左右方向に設けられるとともに、シャーシプレート９０にスライド自在に支持されている。ガイドプレート７１は、イジェクトアーム２２の係止ピン５３によって押圧される第１、第２の押圧辺７４，７５と、係止ピン５３を係止する第１、第２の係止辺７６，７７と、ローディングカムプレート２３に設けられたロックピン４４が係脱されるロック溝７８とが形成されている。
【００６５】
そして、ガイドプレート７１は、一端をシャーシプレート９０に係止されているコイルバネ７９の他端が係止されることにより、常時、ガイド部７０が装置本体３の右側面３ｄ側へスライドする図３中矢印ｄ２方向へ付勢されている。
【００６６】
第１、第２の押圧辺７４，７５は、イジェクトアーム２２の係止ピン５３に押圧されることにより、スライドガイドレール２４を、ガイド部７０のレール部材７３が光ディスク２の外周面から離間する矢印ｄ１方向へスライドさせるものである。第１、第２の押圧辺７４，７５は、矢印ｃ１方向に回動されるイジェクトアーム２２の係止ピン５３と対峙可能に右側面３ｄ側に向かって形成されている。第１の押圧辺７４は大径ディスク２Ａが装着された際に、第２の押圧辺７５は小径ディスク２Ｂが装着された際に、それぞれ係止ピン５３によって押圧される部分であり、ディスク装着時における係止ピン５３の回動領域に応じた位置に設けられている。
【００６７】
第１の押圧辺７４は、大径ディスク２Ａの挿入に伴ってスライドガイドレール２４がｄ１方向へスライドされると、ｃ１方向へ回動されたイジェクトアーム２２の係止ピン５３と当接する。そして、第１の押圧辺７４は、メインスライダー１５２の更なるスライドによってｃ１方向へ回動されるイジェクトアーム２２の係止ピン５３によって押圧される。これにより、スライドガイドレール２４は、コイルバネ７９の付勢力に対抗して矢印ｄ１方向へスライドするため、大径ディスク２Ａの外周面を支持していたレール部材７３が大径ディスク２Ａより離間し、これを回転可能とする。
【００６８】
第２の押圧辺７５は、小径ディスク２Ｂの挿入時にはスライドガイドレール２４が光ディスク挿入を待機する初期位置にロックされているため、当該初期位置にてｃ１方向へ回動されたイジェクトアーム２２の係止ピン５３と当接する。そして、第２の押圧辺７５は、メインスライダー１５２の更なるスライドによってｃ１方向へ回動されるイジェクトアーム２２の係止ピン５３によって押圧される。これにより、スライドガイドレール２４は、コイルバネ７９の付勢力に対抗して矢印ｄ１方向へスライドするため、小径ディスク２Ｂの外周面を支持していたレール部材７３が小径ディスク２Ｂより離間し、これを回転可能とする。
【００６９】
第１、第２の係止辺７６，７７は、イジェクトアーム２２の係止ピン５３を係止することにより、イジェクトアーム２２のｃ２方向への回動位置を規制し、ディスク径に応じた所定のディスク挿脱位置まで確実に光ディスク２を搬送させるものである。第１、第２の係止辺７６，７７は、矢印ｃ２方向に回動されるイジェクトアーム２２の係止ピン５３を係止可能に背面３ｂに面して形成されている。第１の係止辺７６は大径ディスク２Ａの排出行程において、第２の係止辺７７は小径ディスク２Ｂの排出行程において、それぞれ係止ピン５３を係止する部分であり、ディスク排出時におけるスライドガイドレール２４のスライド領域に応じた位置に形成されている。
【００７０】
第１の係止辺７６は、大径ディスク２Ａの排出に伴ってスライドガイドレール２４がｄ２方向へスライドされると、ｃ２方向へ回動されたイジェクトアーム２２の係止ピン５３が係止する。すなわち、スライドガイドレール２４は、大径ディスク２Ａの排出に応じて矢印ｄ２方向へスライドしていくため、係止ピン５３の回動領域上には、背面３ｂ側に突出する第１の係止辺７６が位置され、これによりイジェクトアーム２２の過剰な回動を規制する。したがって、イジェクトアーム２２は、ディスク支持部５２がディスク挿脱口１５の近傍に回動する前に回動が規制され、これにより大径ディスク２Ａを中心孔２ａが外部に臨むディスク挿脱位置まで確実に搬送することができる。
【００７１】
第２の係止辺７７は、小径ディスク２Ｂの排出に伴ってｃ２方向へ回動されたイジェクトアーム２２の係止ピン５３が係止する。すなわち、スライドガイドレール２４は、矢印ｄ２方向へスライドされた挿入待機位置にロックされているため、小径ディスク２Ｂの排出時には、係止ピン５３の回動領域上に第２の係止辺７７が位置される。第２の係止辺７７は、第１の係止辺７６よりも前面３ａ側に窪んでいるため、イジェクトアーム２２を、前面３ａ側に回動可能とする。したがって、イジェクトアーム２２は、ディスク支持部５２がディスク挿脱口１５の近傍まで回動可能となり、小径ディスク２Ｂを中心孔２ａが外部に臨むディスク挿脱位置まで確実に搬送することができる。
【００７２】
また、ディスク搬送機構２０は、第１、第２の係止辺７６にイジェクトアーム２２を係止させることにより、大径ディスク２Ａ及び小径ディスク２Ｂの排出位置を規制するものであるため、ディスク挿脱位置がばらつくことなく、安定してディスク排出を行うことができる。
【００７３】
ローディングカムプレート２３に設けられたロックピン４４が係脱されるロック溝７８は、ガイドプレート７１の背面側の側面に係脱用の開口部を有し、前面側にかけて略円弧状に形成されている。スライドガイドレール２４は、ロック溝７８の開口部より、ロックピン４４が係合することによりロックされ、ｄ１方向へのスライドが規制され、ロックピン４４のロックが解除されることによりｄ１方向へスライドが可能となる。
【００７４】
そして、スライドガイドレール２４は、光ディスク２の挿入を待機する初期状態においては、コイルバネ７９によって矢印ｄ２方向へスライドされることにより、矢印ｂ２方向へ回動付勢されているローディングカムプレート２３のロックピン４４がロック溝７８に係合されている。
【００７５】
小径ディスク２Ｂが挿入されたときには、ローディングカムプレート２３の回転が規制された状態に保持されるため、ロック状態が維持され、スライドガイドレール２４は、ｄ１方向へのスライドが規制されている。したがって、スライドガイドレール２４は、小径ディスク２Ｂを真っ直ぐにガイドすることができる。
【００７６】
大径ディスク２Ａが挿入されると、ローディングアーム２１の回動に伴ってローディングカムプレート２３も矢印ｂ１方向へ回動されるため、ロックピン４４がロック溝７８から退避する。したがって、スライドガイドレール２４は、ロックピン４４によるロックが解除され、大径ディスク２Ａの挿入に伴ってｄ１方向へのスライドされる。
【００７７】
また、ガイドプレート７１は、トップカバー５と対峙する上面７１ａに、スライドガイドレール２４をセンタリング位置に付勢するセンタリングバネ８０が係止される係止突部８１及びバネ係止辺８２が形成されている。センタリングバネ８０は、大径ディスク２Ａのセンタリング時においてスライドガイドレール２４によるセンタリング位置決めを補助するものである。センタリングバネ８０は、ガイドプレート７１の上面７１ａに突設されている係止凸部に環状部８０ａが挿通され、一端８０ｂをガイドプレート７１に形成されたバネ係止辺８２に係止され、他端８０ｃがガイド部７０に開口された開口部より左側面側に突出されている。
【００７８】
他端８０ｃは、先端が環状に形成され、大径ディスク２Ａの挿入に伴ってスライドガイドレール２４が矢印ｄ１方向へスライドされると、装置本体３の左側面３ｃに当接される。他端８０ｃが左側面３ｃに当接されると、センタリングバネ８０は、撓まされることによる付勢力が生じ、スライドガイドレール２４を矢印ｄ２方向へ付勢する。したがって、スライドガイドレール２４は、大径ディスク２Ａによる矢印ｄ１方向への押圧力に対向してセンタリング位置を維持することができる。
【００７９】
なお、スライドガイドレール２４は、シャーシプレート９０にスライド自在に支持されるとともに、スムーズなスライドを可能とする第１、第２のスライドローラ８５，８６が形成されている。第１のスライドローラ８５は、ガイド部７０の下面７０ｂに突設されたガイド軸８８に嵌合されたローラ部材からなり、シャーシプレート９０に形成された第１のスライドガイド溝９５に挿通、転動する。第２のスライドローラ８６は、ガイドプレート７１の下面７１ｂに突設されたガイド軸８９に嵌合されたローラ部材からなり、シャーシプレート９０に形成された第２のスライドガイド溝９６に挿通、転動する。なお、図１１（ｂ）に示すように、ガイド軸８９には、一端をシャーシプレート９０に係止されているコイルバネ７９の他端が係止される。これによりスライドガイドレール２４は、コイルバネ７９の付勢力を受けて常時矢印ｄ１方向へスライド付勢されている。
【００８０】
なお、図１０（ｂ）に示すように、スライドガイドレール２４は、ガイドプレート７１の下面７１ｂの端部に、シャーシプレート９０に形成された第３のスライドガイド溝９７に挿通するガイドピン８７が突設されている。すなわち、スライドガイドレール２４は、第１、第２のスライドローラ８５，８６及びガイドピン８７の３点でシャーシプレート９０に支持されている。
【００８１】
［サブシャーシユニット］
次いで、スライドガイドレール２４をスライド自在に支持するサブシャーシユニット２５について説明する。図１１（ａ）（ｂ）に示すように、サブシャーシユニット２５は、スライドガイドレール２４を支持するシャーシプレート９０と、メインスライダー１５２と連動するスライドアーム９１と、スライドアーム９１によってスライドされるスライド操作板９２と、スライド操作板９２に連動してスライドガイドレール２４の位置規制を行う位置規制板９３とを備える。そして、サブシャーシユニット２５は、スライドガイドレール２４を光ディスク２の搬送方向と略直交する矢印ｄ１方向及びｄ２方向へスライド自在に支持するとともに、挿入される光ディスク２の径に応じて、搬送行程においてスライド位置を規制する。
【００８２】
シャーシプレート９０は、図１２（ａ）（ｂ）に示すように、スライドガイドレール２４及び後述するスライドアーム９１、スライド操作板９２及び位置規制板９３を支持するものであり、ボトムケース４に取り付けられることにより、装置本体３の背面３ｂ側に固定されている。シャーシプレート９０は、スライドガイドレール２４を支持する第１〜第３のスライドガイド溝９５〜９７が、左右方向に亘って形成されている。第１のスライドガイド溝９５は、ガイド部７０に設けられた第１のスライドローラ８５が挿通し、第２のスライドガイド溝９６は、ガイドプレート７１に設けられた第２のスライドローラ８６が挿通し、第３のスライドガイド溝９７は、ガイドプレート７１の端部に設けられたガイドピン８７が挿通する。
【００８３】
シャーシプレート９０は、第１〜第３のスライドガイド溝９５〜９７に第１、第２のスライドローラ８５，８６及びガイドピン８７が挿通することにより、スライドガイドレール２４の矢印ｄ１及びｄ２方向へスライド自在に支持する。このとき、スライドガイドレール２４は、第１、第２のガイドローラ８５，８６が第１、第２のスライドガイド溝９５，９６を転動するため、摺動抵抗がなく、スムーズにスライドすることができる。
【００８４】
また、シャーシプレート９０は、イジェクトアーム２２に突設された回動補助ピン５９が挿通する第１の挿通孔９９が形成されている。また、シャーシプレート９０は、イジェクトアーム２２に突設された係止ピン５３が挿通する第２の挿通孔１００が形成されている。また、シャーシプレート９０は、ローディングカムプレート２３のロックピン４４が挿通する第３の挿通孔１０１が形成されている。第１〜第３の挿通孔９９〜１０１は、いずれも回動補助ピン５９、係止ピン５３又はロックピン４４の回動領域に応じて円弧状に開口されている。
【００８５】
また、シャーシプレート９０は、右側縁に、コイルバネ７９の一端が係止される係止片１０２が形成されている。また、シャーシプレート９０は、左側縁に第２の大径ディスク検出スイッチ１１ｂを上方に臨ませるスイッチ孔９４が形成されている。
【００８６】
また、シャーシプレート９０は、イジェクトアーム２２のスイッチ操作カム部６０が挿通する開口部１０３が形成されている。開口部１０３の近傍には、イジェクトアーム２２の支軸５１を回転自在に支持する軸受け部１０４が立設されている。軸受け部１０４は中空円筒形状をなし、シャーシプレート９０の下面側に突設されるとともに、上面側に円筒の一端が開口され、イジェクトアーム２２の支軸５１が挿通されている。また、図１１（ａ）に示すように、軸受け部１０４は、外周面にイジェクトアーム２２を回転付勢するコイルバネ５５が嵌装されている。
【００８７】
図１２（ｂ）に示すように、シャーシプレート９０の下面側には、メインスライダー１５２と連動するスライドアーム９１を回動可能に支持する支持ピン１０５が取り付けられている。スライドアーム９１は、図１３（ａ）（ｂ）に示すように、全体を略Ｌ字状に形成され、一端に支持ピン１０５に回動支持される軸孔部１１０が形成され、他端にメインスライダー１５２に係合する係合軸部１１１が形成され、コーナ部にスライド操作板９２に係合する係合ピン１１２が設けられている。スライドアーム９１は、メインスライダー１５２がスライドすると、係合軸部１１１が従動され、支持ピン１０５を支軸として矢印ｅ１方向及びｅ２方向へ回動する。これによりスライドアーム９１は、係合ピン１１２を介してスライド操作板９２を矢印ｆ１方向及びｆ２方向へスライドさせる。
【００８８】
スライドアーム９１によってスライドされるスライド操作板９２は、図２５及び図３４に示すように、イジェクトアーム２２による光ディスク２のリリース及び排出補助を行うとともに、位置規制板９３をスライドさせるものである。スライド操作板９２は、図１４（ａ）（ｂ）に示すように、略矩形板状をなし、シャーシプレート９０に突設された支持凸部１１５に挿通、支持される長孔１１６が複数形成されている。長孔１１６は、スライド操作板９２のスライド方向に亘って形成され、支持凸部１１５がスライド可能に挿通する。
【００８９】
また、スライド操作板９２は、スライドアーム９１の係合ピン１１２が係合する係合孔１１７が形成されている。係合孔１１７は、スライド操作板９２のスライド方向と略直交する方向に亘って形成され、スライドアーム９１の係合ピン１１２が係合されている。従って、スライド操作板９２は、メインスライダー１５２に連動してスライドアーム９１が回動すると、係合ピン１１２が係合孔１１７をスライドし、長孔１１６に沿って図１１（ｂ）中矢印ｆ１方向及びｆ２方向へスライドする。
【００９０】
また、スライド操作板９２は、位置規制板９３を操作する操作カム孔１１８が形成されている。操作カム孔１１８は、スライド操作板９２のスライド方向に延びる非操作部１１８ａと、スライド方向に対して傾斜し、スライド操作板９２のスライドに連動して位置規制板９３をスライドさせる操作部１１８ｂとが連続して形成されている。そして、スライド操作板９２は、スライドアーム９１によって矢印ｆ１方向へスライドされると、操作カム孔１１８の操作部１１８ｂによって位置規制板９３を図１１（ｂ）中矢印ｇ１方向及びｇ２方向へスライドさせる。
【００９１】
また、スライド操作板９２は、イジェクトアーム２２の係止ピン５３を押圧することよりディスク支持部５２を光ディスク２の外周面から離間させるリリース片１１９が形成されている。リリース片１１９は、大径ディスク２Ａの挿入時における係止ピン５３の回動位置に応じて形成された第１のリリース片１１９ａと、小径ディスク２Ｂの挿入時における係止ピン５３の回動位置に応じて形成された第２のリリース片１１９ｂとを有する。
【００９２】
スライド操作板９２は、光ディスク２の挿入待機状態において矢印ｆ２方向へスライドされているとき、リリース片１１９が係止ピン５３の回動量域から退避されている。大径ディスク２Ａが挿入され、イジェクトアーム２２がセンタリング位置まで回動されると、スライド操作板９２は、第１のリリース片１１９ａと対向する位置に係止ピン５３が位置する。したがって、スライド操作板９２は、矢印ｆ１方向へスライドすることにより係止ピン５３を押圧し、さらにイジェクトアーム２２をｃ１方向へ回動させ、ディスク支持部５２を大径ディスク２Ａの外周面から離間させることができる。
【００９３】
また、小径ディスク２Ｂが挿入され、イジェクトアーム２２がセンタリング位置まで回動されると、スライド操作板９２は、第２のリリース片１１９ｂと対向する位置に係止ピン５３が位置する。したがって、スライド操作板９２は、矢印ｆ１方向へスライドすることにより係止ピン５３を押圧し、さらにイジェクトアーム２２をｃ１方向へ回動させ、ディスク支持部５２を小径ディスク２Ｂの外周面から離間させることができる。
【００９４】
また、スライド操作板９２は、回動補助バネ１２０が係止されている。回動補助バネ１２０は、光ディスク２の排出時にイジェクトアーム２２の回動補助ピン５９を付勢することにより、イジェクトアーム２２の矢印ｃ２方向への回動を補助し、光ディスク２を確実に挿脱位置まで排出させるものである。回動補助バネ１２０は、例えば捩りコイルバネが用いられ、環状部１２０ａをスライド操作板９２に突設されている係合突部１２３に挿通させるとともに一端１２０ｂをスライド操作板９２より突出させることにより、スライド操作板９２がスライドすると当該一端１２０ｂがイジェクトアーム２２の回動補助ピン５９と離接可能とされている。
【００９５】
具体的に、回動補助バネ１２０は、光ディスク２の挿入待機状態においては矢印ｃ２方向へ回動付勢されているイジェクトアーム２２の回動補助ピン５９と離間した位置にある。そして、光ディスク２が挿入され、イジェクトアーム２２がｃ１方向へ回動されるとともにスライド操作板９２がｆ１方向へスライドされると、回動補助バネ１２０は、回動補助ピン５９の回動方向と同方向に移動し、イジェクトアーム２２の回動を阻害することがない。光ディスク２の排出時において、スライド操作板９２がスライドアーム９１の回動に連動してｆ２方向へスライドされると、回動補助バネ１２０は、回動補助ピン５９と同方向に移動する。
【００９６】
このとき、イジェクトアーム２２は、コイルバネ５５の付勢力を受けて光ディスク２の外周面を押圧しながらｃ２方向へ回動していくが、コイルバネ５５の付勢力だけでは十分に光ディスク２を押し出すことができないため、スライド操作板９２のｆ２方向へのスライド量に比して回動補助ピン５９の回動量が短い。したがって、回動補助バネ１２０は、回動補助ピン５９と当接し、押圧することにより、イジェクトアーム２２の矢印ｃ２方向への回動を補助する。光ディスク２がユーザによってディスク挿脱位置まで搬送されると、メインスライダー１５２が矢印ｈ１方向へ若干スライドされることにより、連動してスライド操作板９２がｆ１方向へスライドするため、回動補助バネ１２０は、回動補助ピン５９と離間した位置で保持される。
【００９７】
また、光ディスク２の挿入待機状態において、ディスクドライブ装置１の電源が投入されていないにもかかわらず光ディスク２が挿入されると、イジェクトアーム２２のｃ１方向への回動に応じて回動補助ピン５９が回動補助バネ１２０に当接する。このとき、回動補助バネ１２０はスライド操作板９２がｆ１方向へスライドされないため、回動補助ピン５９と当接し、押圧することにより、イジェクトアーム２２を光ディスク２を排出する矢印ｃ２方向へ押し戻す。したがって、回動補助バネ１２０は、電源が投入されていない状態で光ディスク２が挿入された場合に、イジェクトアーム２２をｃ２方向へ回動し、光ディスク２の誤挿入を防止することができる。
【００９８】
スライド操作板９２によってスライド操作される位置規制板９３は、光ディスク２のセンタリング時において、スライドガイドレール２４をディスク径に応じた位置に規制するものである。位置規制板９３は、図１５（ａ）（ｂ）に示すように、略矩形板状をなし、シャーシプレート９０に突設された支持凸部１２１に挿通支持される長孔１２２が複数形成されている。長孔１２２は、位置規制板９３のスライド方向に亘って形成され、支持凸部１２１がスライド可能に挿通する。位置規制板９３は、支持凸部１２１に支持されることにより、シャーシプレート９０をスライドガイドレール２４のスライド方向と略直交する方向となる図１１（ｂ）中矢印ｇ１方向及びｇ２方向へスライド可能とされている。
【００９９】
また、位置規制板９３は、スライド操作板９２の操作カム孔１１８に挿通するカムピン１２４が突設されている。位置規制板９３は、カムピン１２４が操作カム孔１１８に沿って移動することにより、スライド操作板９２のスライドに応じて、長孔１２２に沿って矢印ｇ１方向又はｇ２方向へスライドする。
【０１００】
また、位置規制板９３は、装置本体３の左側面３ｃと対峙する側面にスライドガイドレール２４のガイド軸８８が当接しスライドを規制する規制辺１２５が形成され、装置本体３の右側面３ｄ側の側面にスライドガイドレール２４のガイド軸８８を付勢するレール付勢バネ１２６が設けられている。レール付勢バネ１２６は、位置規制板９３に突設されている係止突部１２７に環状部１２６ａが挿通されるとともに、一端１２６ｂが位置規制板９３の係止片１２８に係止され、他端１２６ｃがガイド軸８８近傍へ突出している。
【０１０１】
位置規制板９３は、光ディスク２が装置本体３内に引き込まれると、矢印ｇ１方向へスライドされることにより、スライドガイドレール２４のガイド軸８８のスライド領域に進入し、ディスク径に応じて規制辺１２５又はレール付勢バネ１２６がガイド軸８８と当接する。また、位置規制板９３は、矢印ｇ２方向へスライドされることにより、ガイド軸８８のスライド領域より退避し、ガイド軸８８と離間する。
【０１０２】
規制辺１２５は、大径ディスク２Ａが挿入されることにより矢印ｄ１方向へスライドしたスライドガイドレール２４を大径ディスク２Ａのセンタリング位置に規制するものである。規制辺１２５は、大径ディスク２Ａの挿入に伴いスライドガイドレール２４が矢印ｄ１方向へスライドされると、ガイド軸８８が規制辺１２５よりも左側面３ｃ側へ移動した後に矢印ｇ１方向へスライドし、ガイド軸８８が挿通するシャーシプレート９０に形成された第１のスライドガイド溝９５上に位置される。これにより、規制辺１２５は、スライドガイドレール２４がコイルバネ７９の付勢力によって矢印ｄ２方向へスライドされるとガイド軸８８が当接し、これ以上の矢印ｄ２方向へのスライドを規制する。スライドガイドレール２４は、ガイド軸８８が規制辺１２５に当接しスライドが規制されることにより、大径ディスク２Ａのセンタリング位置に保持される。
【０１０３】
レール付勢バネ１２６は、例えば捩りコイルバネからなり、環状部を位置規制板９３に突設された支持ピンに挿通され、一端を位置規制板９３の係止片に係止され、他端を右側面３ｄ側に突出するように保持されている。レール付勢バネ１２６の他端は、ガイド軸８８を付勢する付勢部であり、位置規制板９３がｇ１方向へスライドされると、挿入待機状態にあるスライドガイドレール２４のガイド軸８８と当接可能に形成されている。かかるレール付勢バネ１２６は、小径ディスク２Ｂが挿入されると、位置規制板９３が矢印ｇ１方向へスライドされることにより、挿入待機位置にロックされているスライドガイドレール２４のガイド軸８８に背面側から当接する。このとき、ガイド軸８８は、レール付勢バネ１２６よりも右側面側に位置するため、レール付勢バネ１２６が当接することにより右側面側に向かって付勢される。スライドガイドレール２４は、ガイド軸８８がレール付勢バネ１２６に付勢されることにより、小径ディスク２Ｂのセンタリング位置に保持される。
【０１０４】
かかる位置規制板９３は、光ディスク２が挿入され、メインスライダー１５２が駆動されると、スライドアーム９１及びスライド操作板９２を介して矢印ｇ１方向へスライドされ、スライドガイドレール２４のガイド軸８８と当接される。したがって、位置規制板９３は、光ディスク２のセンタリング時においてのみスライドガイドレール２４の位置規制を行い、光ディスク２挿入時や排出時には離間されているため、光ディスク２の挿入や排出においてスライドガイドレール２４に負荷をかける等して阻害することがない。
【０１０５】
＜３．ベースユニット＞
次いで、光ディスク２に対して情報信号の記録及び／又は再生を行うベースユニット１３０について説明する。ベースユニット１３０は、ディスクドライブ装置１のドライブ本体を構成するものであり、図１６（ａ）（ｂ）に示すように、略矩形状のフレーム体からなるトラバースシャーシ１３１を有し、このトラバースシャーシ１３１がボトムケース４に配設されることにより、長手方向の一端側を装置本体３の略中央に位置される。ベースユニット１３０は、当該長手方向の一端側に、ディスク挿脱口１５から装置本体３の内部に挿入された光ディスク２が装着されるディスク装着部１３２と、このディスク装着部１３２に装着された光ディスク２を回転駆動するディスク回転駆動機構１３３とが設けられている。またベースユニット１３０は、ディスク回転駆動機構１３３により回転駆動される光ディスク２に対して信号の書き込み又は読み出しを行う光ピックアップ１３５と、この光ピックアップ１３５を長手方向に亘って搬送することにより光ディスク２の半径方向に送り動作させるピックアップ送り機構１３６とを有し、これらがトラバースシャーシ１３１に一体に設けられている。そしてベースユニット１３０は、トラバースシャーシ１３１が後述する駆動機構１５０によって光ディスク２に対して昇降操作される。
【０１０６】
このベースユニット１３０は、ディスク装着部１３２が略中央に位置するようにボトムケース４に支持され、ディスク搬送領域上に臨まされている。そしてベースユニット１３０は、後述する駆動機構１５０によって昇降可能とされており、初期状態において、ディスク挿脱口１５から装置本体３の内部に挿入される光ディスク２よりも下方に位置され、光ディスク２のローディング操作に伴って上昇され、光ディスク２を回転可能に係合する。ベースユニット１３０は、記録再生動作後は、駆動機構１５０によって下降され、光ディスク２との係合が解除されるとともに、光ディスク２の搬送領域から退避される。
【０１０７】
トラバースシャーシ１３１は、板金を所定の形状に打ち抜き、その周囲を僅かに下方に折り曲げて形成されている。トラバースシャーシ１３１の主面には、後述するディスク装着部１３２のターンテーブル１３２ａを上方へと臨ませる略半円状のテーブル用開口部１３１ａと、後述する光ピックアップ１３５の対物レンズ１３５ａを上方へと臨ませる略矩形状のピックアップ用開口部１３１ｂとが連続形成されている。なお、図１６（ａ）に示すように、トラバースシャーシ１３１の上面部には、これら開口部１３１ａ，１３１ｂに対応した開口部が形成された化粧板１３７が取り付けられる。
【０１０８】
また、トラバースシャーシ１３１は、装置本体３の前面３ａに対峙する側面の両側に、ボトムケース４に支持される支持片１３８が設けられている。トラバースシャーシ１３１は、支持片１３８がボトムケース４に立設されている支持凸部１３９に嵌合することにより、ディスク装着部１３２側が上下方向に揺動自在に支持されている。支持片１３８は、支持凸部１３９が挿通する挿通孔が形成されるとともに、挿通孔内にダンパ１４０が嵌合されている。ダンパ１４０は、支持凸部１３９が挿通可能な中空部を有する。また、支持凸部１３９は、取付ネジ１３９ａが螺合するネジ孔が形成されている。
【０１０９】
そして、トラバースシャーシ１３１は、ダンパ１４０を介して支持片１３８が支持凸部１３９に挿通されるとともに、ダンパ１４０の上から支持凸部１３９のネジ孔に取付ネジ１３９ａが螺合することによりボトムケース４に取り付けられる。
【０１１０】
また、トラバースシャーシ１３１は、後述するメインスライダー１５２と対向する側面のディスク装着部１３２側に位置して、メインスライダー１５２の第１のカムスリット１６０に係合されて支持される第１の支軸１４１と、サブスライダー１５３と対向する側面のディスク装着部１３２側に位置して、サブスライダー１５３の第２のカムスリット１６５に係合されて支持される第２の支軸１４２とを有している。第１の支軸１４１及び第２の支軸１４２は、ボトムケース４に形成された昇降ガイド壁１４，１４のスリットを挿通して第１、第２のカムスリット１６０，１６５に係合する。
【０１１１】
したがって、このトラバースシャーシ１３１は、メインスライダー１５２及びサブスライダー１５３のスライドに連動して、第１の支軸１４１が第１のカムスリット１６０内をスライドすると共に、第２の支軸１４２が第２のカムスリット１６５内をスライドすることによって、ディスク装着部１３２側が支持凸部１３９を支点に昇降が可能となっている。このとき、トラバースシャーシ１３１は、第１、第２の支軸１４１，１４２が昇降ガイド壁１４，１４にガイドされることにより上下方向への移動がガイドされている。
【０１１２】
ディスク装着部１３２は、ディスク回転駆動機構１３３により回転駆動されるターンテーブル１３２ａを有し、このターンテーブル１３２ａの中心部には、光ディスク２を装着するためのチャッキング機構１４３が設けられている。このチャッキング機構１４３は、光ディスク２の中心孔２ａに係合される係合突部１４３ａと、この係合突部１４３ａに係合された光ディスク２の中心孔２ａの周囲を係止する複数の係止爪１４３ｂとを有し、光ディスク２をターンテーブル１３２ａ上に保持する。
【０１１３】
ディスク回転駆動機構１３３は、光ディスク２をターンテーブル１３２ａと一体に回転駆動する扁平状のスピンドルモータ１３３ａを有し、このスピンドルモータ１３３ａは、上面部に設けられたターンテーブル１３２ａがトラバースシャーシ１３１のテーブル用開口部１３１ａから僅かに突出するように、支持板１３３ｂを介してトラバースシャーシ１３１の下面にネジ止めにより取り付けられている。
【０１１４】
光ピックアップ１３５は、光源となる半導体レーザから出射された光ビームを対物レンズ１３５ａにより集光させて光ディスク２の信号記録面に照射し、この光ディスク２の信号記録面で反射された戻りの光ビームを受光素子等からなる光検出器により検出する光学ブロックを有し、光ディスク２に対する信号の書き込み又は読み出しを行うようになされている。
【０１１５】
また、この光ピックアップ１３５は、対物レンズ１３５ａを光軸方向（フォーカシング方向という。）と、光ディスクの記録トラックと直交する方向（トラッキング方向という。）とに変位駆動する２軸アクチュエータ等の対物レンズ駆動機構を有し、上述した光検出器により検出された光ディスク２からの検出信号に基づいて、この２軸アクチュエータにより対物レンズ１３５ａをフォーカシング方向及びトラッキング方向に変位させながら、光ディスク２の信号記録面上に対物レンズ１３５ａの焦点を合わせるフォーカスサーボや、対物レンズ１３５ａにより集光される光ビームのスポットを記録トラックに追従させるトラッキングサーボ等の駆動制御を行うようになされている。なお、対物レンズ駆動機構としては、このようなフォーカシング制御及びトラッキング制御に加えて、対物レンズ１３５ａにより集光された光ビームを光ディスク２の信号記録面に垂直に照射させるように、光ディスク２の信号記録面に対する対物レンズ１３５ａの傾き（スキュー）を調整可能とする３軸アクチュエータを用いてもよい。
【０１１６】
ピックアップ送り機構１３６は、光ピックアップ１３５が搭載されたピックアップベース１４４と、このピックアップベース１４４を光ディスク２の半径方向にスライド可能に支持する一対のガイド軸１４５ａ，１４５ｂと、これら一対のガイド軸１４５ａ，１４５ｂに支持されたピックアップベース１４４を光ディスク２の半径方向に駆動するベース駆動機構１４６とを有している。
【０１１７】
ピックアップベース１４４には、一対のガイド軸１４５ａ，１４５ｂのうち、一方のガイド軸１４５ａを挿通するガイド孔が形成された一対のガイド片１４７ａ，１４７ｂと、他方のガイド軸１４５ｂを挟み込むガイド溝が形成されたガイド片１４８とが互いに対向する側面から突出形成されている。これにより、ピックアップベース１４４は、一対のガイド軸１４５ａ，１４５ｂにスライド可能に支持されている。
【０１１８】
一対のガイド軸１４５ａ，１４５ｂは、トラバースシャーシ１３１の下面に光ディスク２の半径方向と互いに平行となるように配置されており、トラバースシャーシ１３１のピックアップ用開口部１３１ｂから光ピックアップ１３５が臨むピックアップベース１４４を光ディスク２の内外周に亘って案内する。
【０１１９】
ベース駆動機構１４６は、トラバースシャーシ１３１に取り付けられた駆動モータ１４９の回転駆動をギヤやラック（図示せず。）を介して直線駆動に変換し、ピックアップベース１４４を一対のガイド軸１４５ａ，１４５ｂに沿った方向、すなわち光ディスク２の半径方向に変位駆動させるものであり、例えばリードスクリューを備えたステッピングモータが用いられる。
【０１２０】
＜４．駆動機構＞
次いで、ディスク搬送機構２０に駆動力を供給する駆動機構１５０について説明する。駆動機構１５０は、駆動モータ１５１と、駆動モータ１５１の駆動力を受けてボトムケース４内をスライドするメインスライダー１５２と、メインスライダー１５２と協働してベースユニット１３０を昇降させるサブスライダー１５３と、駆動モータ１５１の駆動力をメインスライダー１５２に伝達するギヤ列１５４とを備え、これらがボトムケース４に配設されている。駆動機構１５０は、駆動モータ１５１によってメインスライダー１５２をスライドさせることにより、ディスク搬送機構５０を駆動させるとともにベースユニット１３０の昇降を行うものである。
【０１２１】
駆動モータ１５１は、光ディスク２が所定の位置まで挿入されるとイジェクトアーム２２のスイッチ操作カム部６０によって小径ディスク検出スイッチ１１ｃ及び第１の大径ディスク検出スイッチ１１ａが操作され、メインスライダー１５２を図１１（ｂ）中矢印ｈ１方向に移動する正転方向に駆動される。また駆動モータ１５１は、イジェクト操作がされると、メインスライダー１５２を図１１（ｂ）中矢印ｈ２方向に移動する逆転方向に駆動される。メインスライダー１５２は、光ディスク２のローディング及びイジェクトに応じて図１１中矢印ｈ１方向又はｈ２方向に移動されることにより、ディスク搬送機構２０の各アームを駆動させ、また、サブスライダー１５３とともにベースユニット１３０を駆動させる。ギヤ列１５４は、メインスライダー１５２に形成されたラック部１６１と咬合し、駆動モータ１５１の駆動力をラック部１６１を介してメインスライダー１５２に伝える。
【０１２２】
メインスライダー１５２は、図１７（ａ）に示すように、全体が略直方体状に形成された樹脂部材からなり、上面１５２ａにローディングカムプレート２３に形成されたスライダーピン４５が係合するローディングカム１５５と、サブシャーシユニット２５のスライドアーム９１と係合する回動カム１５６とが形成されている。
【０１２３】
ローディングカム１５５は、大径ディスク２Ａの挿入に伴って矢印ｂ２方向へ大きく回動されるローディングカムプレート２３のスライダーピン４５が係合する大径ディスク用カム部１５５ａと、小径ディスク２Ｂの挿入に伴って初期位置を維持するローディングカムプレート２３のスライダーピン４５が係合する小径ディスク用カム部１５５ｂとが形成されている。ローディングカム１５５は、メインスライダー１５２が装置本体３の前面３ａ側に向かう矢印ｈ１方向へスライドされると、挿入された光ディスク２の径に応じてローディングカムプレート２３を回動させ、ローディングアーム２１による光ディスク２の引き込みを行う。
【０１２４】
回動カム１５６は、スライドアーム９１に形成された係合軸部１１１が係合するカム溝である。メインスライダー１５２は、回動カム１５６に係合軸部１１１が係合することにより、矢印ｈ１方向へスライドするとスライドアーム９１を支持ピン１０５を支軸として図１１（ｂ）中矢印ｅ１方向へ回動させる。また、メインスライダー１５２は、矢印ｈ２方向へスライドするとスライドアーム９１を同図中矢印ｅ２方向へ回動させる。
【０１２５】
また、メインスライダー１５２は、下面１５２ｂに、サブスライダー１５３をスライドさせるスライドカム１５７が形成されている。スライドカム１５７は、サブスライダー１５３の先端に突設されている係合突部１６３が係合することにより、メインスライダー１５２のスライドに連動してサブスライダー１５３を装置本体３の左右方向となる図１１（ｂ）中矢印ｉ１方向又はｉ２方向へスライドさせる。なお、メインスライダー１５２は、下面１５２ｂに、ボトムケース４より突設された支持レール１３にスライド方向がガイドされるスライドガイド溝１５９が長手方向に沿って形成されている。
【０１２６】
またメインスライダー１５２は、ベースユニット１３０側の側面１５２ｃに、ベースユニット１３０のトラバースシャーシ１３１に突設された第１の支軸１４１が挿通される第１のカムスリット１６０と、ギヤ列１５４と係合するラック部１６１とが形成されている。
【０１２７】
このようなメインスライダー１５２は、ボトムケース４の底面部において、このボトムケース４の右側面部とベースユニット１３０との間に配置されている。また、このメインスライダー１５２は、ディスク挿脱口１５から装置本体３の内部に挿入される光ディスク２よりも下方に位置しており、その上面部がデッキ部４ａよりもやや低い高さを有している。そして、このメインスライダー１５２は、ボトムケース４の底面部に設けられた駆動モータ１５１やギヤ列１５４を介して装置本体３の前後方向となる矢印ｈ１方向及びｈ２方向へスライド駆動される。
【０１２８】
そして、駆動機構１５０では、このメインスライダー１５２のスライド動作に連動して、ローディングカムプレート２３、ローディングカムプレート２３と係合されたローディングアーム２１、スライドガイドレール２４及びサブシャーシユニット２５のスライドアーム９１を操作する。これにより、駆動機構１５０は、メインスライダー１５２のスライドに応じて、光ディスク２をディスク挿脱口１５から装置本体３内に引き込むローディング動作、光ディスク２をセンタリング位置に保持するセンタリング動作、光ディスク２をディスク装着部１３２に装着するチャッキング動作、光ディスク２を回転可能とするリリース動作、及び光ディスク２をディスク装着部１３２からディスク挿脱口１５外へと排出するイジェクト動作を行う。
【０１２９】
かかるメインスライダー１５２と連動するサブスライダー１５３は、図１８（ａ）（ｂ）に示すように、ベースユニット１３０のトラバースシャーシ１３１より突設された第２の支軸１４２を支持するとともに、メインスライダー１５２と係合され、このメインスライダー１５２のスライド動作に伴って光ディスク２のローディング方向と直交する図１１（ｂ）矢印ｉ１方向あるいはｉ２方向にスライド可能に配設されている。
【０１３０】
サブスライダー１５３は、図１８に示すように、合成樹脂製からなる長尺状の平板部材からなり、上面１５３ａに、メインスライダー１５２のスライドカム１５７に係合する係合突部１６３が突設されている。また、サブスライダー１５３は、ボトムケース４の底面に形成された昇降ガイド壁１４にガイドされることにより、メインスライダー１５２のスライド動作に連動して、矢印ｉ１方向あるいはｉ２方向にスライドされる。
【０１３１】
また、サブスライダー１５３は、ディスク挿脱口１５側の側面１５３ｂに、メインスライダー１５２に形成された第１のカムスリット１６０とともに、ベースユニット１３０を昇降操作する第２のカムスリット１６５が長手方向に亘って形成されている。
【０１３２】
メインスライダー１５２及びサブスライダー１５３は、ベースユニット１３０を上昇させてディスク装着位置に位置決めされた光ディスク２をディスク装着部１３２のターンテーブル１３２ａに装着するチャッキング位置と、ベースユニット１３０を下降させてディスク装着部１３２のターンテーブル１３２ａから光ディスク２を離脱するチャッキング解除位置と、ベースユニット１３０をチャッキング位置とチャッキング解除位置との間に位置させて光ディスク２に対する信号の記録又は再生を行う記録再生位置との間でベースユニット１３０を昇降操作する。
【０１３３】
具体的に、メインスライダー１５２及びサブスライダー１５３は、第１のカムスリット１６０及び第２のカムスリット１６５により、トラバースシャーシ１３１に突設されている第１の支軸１４１及び第２の支軸１４２を昇降させることにより、ベースユニット１３０の昇降を行うものである。
【０１３４】
メインスライダー１５２に形成されている第１のカムスリット１６０は、チャッキング解除位置に対応した下側水平面部１６０ａと、記録再生位置に対応した上側水平面部１６０ｂと、これら下側水平面部１６０ａと上側水平面部１６０ｂとを繋ぐとともにチャッキング位置に対応した傾斜面部１６０ｃとが形成され、トラバースシャーシ１３１に突設された第１の支軸１４１がスライド可能に挿通されている。
【０１３５】
サブスライダー１５３に形成されている第２のカムスリット１６５は、チャッキング解除位置に対応した下側水平面部１６５ａと、記録再生位置に対応した上側水平面部１６５ｂと、これら下側水平面部１６５ａと上側水平面部１６５ｂとを繋ぐとともにチャッキング位置に対応した傾斜面部１６５ｃとが形成され、トラバースシャーシ１３１に突設された第２の支軸１４２がスライド可能に挿通されている。
【０１３６】
これら第１、第２のカムスリット１６２，１６５の各傾斜面部１６０ｃ，１６５ｃは、上側水平面部１６０ｂ，１６５ｂの位置よりも高い位置まで設けられ、やや下降することによりベースユニット１３０を上側水平面部１６０ｂ，１６５ｂへガイドする。これにより第１、第２のカムスリット１６２，１６５にガイドされるベースユニット１３０は、メインスライダー１５２及びサブスライダー１５３がスライドすることにより、第１、第２の支軸１４１，１４２が下側水平面部１６０ａ，１６５ａから傾斜面部１６０ｃ，１６５ｃを上昇し、チャッキング解除位置からチャッキング位置まで移動される。このときベースユニット１３０は、ディスク装着部１３２に搬送された光ディスク２の中心孔２ａ周辺をターンテーブル１３２ａとトップカバー５の天板部５ａに設けられた当接突部８とで挟み込み光ディスク２のチャッキングが行われる。さらにメインスライダー１５２及びサブスライダー１５３がスライドされると、第１、第２の支軸１４１，１４２が傾斜面部１６０ｃ，１６５ｃから上側水平面部１６５ｂへ下降するため、ベースユニット１３０はチャッキング位置から記録再生位置へ移動される。
【０１３７】
＜５．ディスク挿排出行程＞
［挿入待機状態］
次いで、ディスクドライブ装置１による光ディスク２の挿排出動作について説明する。先ず、光ディスク２の挿入待機状態においては、メインスライダー１５２が装置本体３の背面３ｂ側のホーム位置に停止している。このとき、メインスライダー１５２は、回路基板１０に実装されているホーム位置検出スイッチ１１ｅを押下している。メインスライダー１５２がホーム位置に停止することにより、サブスライダー１５３も装置本体３の右側面３ｄ側に位置されている。また、トラバースシャーシ１３１は、第１、第２の支軸１４１，１４２が第１、第２のカムスリット１６０，１６５の下側水平面部１６０ａ，１６５ａに位置されることによりチャッキング解除位置へ下降されている。
【０１３８】
また、メインスライダー１５２がホーム位置に停止することにより、図３に示すように、ローディングカムプレート２３は、係止凸部４８に係止されているコイルバネ４７の付勢力を受けて矢印ｂ２方向へ回動付勢されるとともに、スライダーピン４５がローディングカム１５５の小径ディスク用カム部１５５ｂ側に回動されることにより回動位置が規制されている。またローディングカムプレート２３は、矢印ｂ２方向へ回動されることにより、ロックピン４４がスライドガイドレール２４のロック溝７８に係合されている。
【０１３９】
また、ローディングカムプレート２３が矢印ｂ２方向へ回動されることにより、ローディングアーム２１は、ガイドローラ３３が装置本体３の右側面３ｄ側に開く矢印ａ２方向へ回動されている。したがって、ローディングアーム２１は、光ディスク２が挿入される際に、光ディスク２に押圧されてガイドローラ３３が矢印ａ１方向へ回動されることが防止されている。
【０１４０】
また、スライドガイドレール２４は、コイルバネ７９によって装置本体３の右側面側となる矢印ｄ２方向へスライドされるとともに、第１のスライドローラ８５がシャーシプレート９０に形成された第１のスライドガイド溝９５の右端に当接することにより矢印ｄ２方向へのスライド位置が規制されている。スライドガイドレール２４は、矢印ｄ２方向へスライドされることにより、矢印ｂ２方向へ回動付勢されているローディングカムプレート２３のロックピン４４がロック溝７８に係合され、矢印ｄ１方向へのスライドが規制されている。
【０１４１】
イジェクトアーム２２は、コイルバネ５５の付勢力を受けて、ディスク支持部５２が装置本体３の前面３ａ側に向く矢印ｃ２方向へ回動付勢されている。このとき、イジェクトアーム２２は、係止ピン５３が矢印ｄ２方向へスライドされているスライドガイドレール２４の第２の係止辺７７に係止されることにより、ディスク支持部５２がディスク挿脱口１５の近傍まで回動されている。なお、イジェクトアーム２２は、第２の係止辺７７に係止されるまで矢印ｃ２方向へ回動されるとともに、メインスライダー１５２と連動するスライド操作板９２が初期位置に停止されることにより、回動補助ピン５９がスライド操作板９２の回動補助バネ１２０と離間している。
【０１４２】
また、スライドアーム９１は、メインスライダー１５２がホーム位置に停止することにより、メインスライダー１５２の回動カム１５６に係合する係合軸部１１１を介して支持ピン１０５を支軸として矢印ｅ２方向へ回動されている。スライドアーム９１が矢印ｅ２方向へ回動されることにより、スライド操作板９２は、矢印ｆ２方向へスライドされ初期位置に停止されている。スライド操作板９２が初期位置に停止されることにより、位置規制板９３は、矢印ｇ２方向へスライドされている。したがって、位置規制板９３のレール付勢バネ１２６は、スライドガイドレール２４のガイド軸８８と離間され、負荷をかけていない。
【０１４３】
［小径ディスクの挿排出行程］
かかる挿入待機状態において、電源が投入され、小径ディスク２Ｂがディスク挿脱口１５へ挿入されると、先ず、イジェクトアーム２２は、ディスク支持部５２のピックアップ部５６によって小径ディスク２Ｂの挿入端を支持し、斜め挿入によるボトムケース４側への沈み込みを防止するとともに、第１の支持ローラ５７側へガイドする。第１の支持ローラ５７が小径ディスク２Ｂの挿入端を支持すると、図１９に示すように、小径ディスク２Ｂの挿入に応じて、イジェクトアーム２２は、コイルバネ５５の付勢力に抗して矢印ｃ１方向へ回動されていく。図２０に示すように、イジェクトアーム２２は、矢印ｃ１方向へ回動されると、スイッチ操作カム部６０による小径ディスク検出スイッチ１１ｃへの押下が解除され、第１の大径ディスク検出スイッチ１１ａからも離間した位置に回動される。
【０１４４】
小径ディスク検出スイッチ１１ｃへの押下が解除されると、駆動モータ１５１が正転駆動され、メインスライダー１５２が装置本体３の前面３ａ側に向かう矢印ｈ１方向へスライドする。このとき、ローディングアーム２１は、小径ディスク２Ｂが挿入されているため、矢印ａ２方向へ回動されることがなく、ローディングカムプレート２３も矢印ｂ２方向へ回動付勢された状態を維持している。したがって、ローディングカムプレート２３は、スライダーピン４５が小径ディスク用カム部１５５ｂにガイドされ、図２１に示すように、矢印ｂ２方向へ回動し、ローディングアーム２１を矢印ａ１方向へ回動させて小径ディスク２Ｂを引き込んでいく。このとき、スライドガイドレール２４は、ロック溝７８にローディングカムプレート２３のロックピン４４が係合され、矢印ｄ１方向へのスライドが規制されているため、小径ディスク２Ｂの外周面をレール部材７３に摺動させて直進させる。
【０１４５】
また、メインスライダー１５２が矢印ｈ１方向へスライドすることにより、係合軸部１１１が回動カム１５６にガイドされてスライドアーム９１が矢印ｅ１方向へ回動され、スライドアーム９１の係合ピン１１２に押圧されてスライド操作板９２が矢印ｆ１方向へスライドされる。そして、スライド操作板９２の操作カム孔１１８に係合する位置規制板９３は、矢印ｇ１方向へスライドされ、レール付勢バネ１２６によってスライドガイドレール２４のガイド軸８８に左側面３ｃ側から当接する。これにより、スライドガイドレール２４は、レール付勢バネ１２６によって矢印ｄ２方向へ付勢され、がたつきが防止されるとともに、小径ディスク２Ｂのセンタリング位置に保持される。
【０１４６】
イジェクトアーム２２は、矢印ｃ１方向へ回動されるにつれて、図２２に示すように、ディスク支持部５２による小径ディスク２Ｂの支持が第１の支持ローラ５７から第２の支持ローラ５８へと移る。すなわち、イジェクトアーム２２は、小径ディスク２Ｂの引き込み、センタリング、及び排出の初期行程においては、第２の支持ローラ５８によって小径ディスク２Ｂを支持する。
【０１４７】
小径ディスク２Ｂは、ローディングアーム２１によってディスク装着部１３２のターンテーブル１３２ａと中心孔２ａとが対峙するディスク装着位置まで搬送される。このとき、ローディングアーム２１は、小径ディスク用カム部１５５ｂにガイドされたローディングカムプレート２３によって矢印ａ１方向へ回動されて小径ディスク２Ｂをディスク装着位置に保持するセンタリング位置まで引き込む。また、スライドガイドレール２４は、ローディングカムプレート２３のロックピン４４にロックされるとともにレール付勢バネ１２６によって小径ディスク２Ｂをディスク装着位置で支持するセンタリング位置に保持される。そして、第２の支持ローラ５８によって小径ディスク２Ｂの外周面を支持するイジェクトアーム２２は、コイルバネ５５により矢印ｃ２方向へ回動付勢され、小径ディスク２Ｂをそれぞれセンタリング位置に停止しているスライドガイドレール２４及びローディングアーム２１に押圧する。これにより小径ディスク２Ｂは、３点で支持されることによりディスク装着位置への位置合わせが行われる。なお、イジェクトアーム２２は、かかる小径ディスク２Ｂのセンタリング位置において、係止ピン５３が、スライド操作板９２の第２のリリース片１１９ｂのスライド領域上まで回動されるとともに、スライドガイドレール２４の第２の押圧辺７５と対向する。係止ピン５３は、小径ディスク２Ｂのチャッキング動作の後、スライド操作板９２の第２のリリース片１１９ｂによって押圧されるとともに、第２の押圧辺７５を押圧し、イジェクトアーム２２及びスライドガイドレール２４のリリース動作を行う。
【０１４８】
小径ディスク２Ｂのセンタリングが終了したタイミングで、ベースユニット１３０は、トラバースシャーシ１３１がチャッキング解除位置からチャッキング位置を経て、記録再生位置まで昇降操作される。具体的に、小径ディスク２Ｂのセンタリングが終了すると、メインスライダー１５２の矢印ｈ１方向へのスライドに連動して、メインスライダー１５２のスライドカム１５７に係合突部１６３がガイドされたサブスライダー１５３が矢印ｉ１方向へスライドされる。そして、トラバースシャーシ１３１は、第１、第２の支軸１４１，１４２が、メインスライダー１５２及びサブスライダー１５３に形成された第１、第２のカムスリット１６０，１６５の各下側水平面部１６０ａ，１６５ａから傾斜面部１６０ｃ，１６５ｃを経て上側水平面部１６０ｂ，１６５ｂへとガイドされる。
【０１４９】
トラバースシャーシ１３１は、第１、第２の支軸１４１，１４２が傾斜面部１６０ｃ，１６５ｃの頂部に移動することにより、チャッキング位置に上昇され、ディスク装着位置に搬送された小径ディスク２Ｂの中心孔２ａの周囲をターンテーブル１３２ａと天板部５ａの開口部７の周囲に形成された当接突部８とによって挟持して、ターンテーブル１３２ａにチャッキングする。その後、メインスライダー１５２がｈ１方向へスライドしてサブスライダー１５３がさらにｉ１方向へスライドされると、トラバースシャーシ１３１は、チャッキング位置から記録再生位置へ下降され、ユーザによる記録又は再生の操作を待機する。
【０１５０】
小径ディスク２Ｂのチャッキングが行われると、ローディングカムプレート２３は、メインスライダー１５２の小径ディスク用カム部１５５ｂにガイドされて矢印ｂ１方向へ回動し、ローディングアーム２１を矢印ａ２方向へ回動させる。これにより、図２３に示すように、ローディングアーム２１は、ガイドローラ３３が小径ディスク２Ｂの外周面から離間する。
【０１５１】
また、スライド操作板９２は、メインスライダー１５２のスライドに連動してさらにｆ１方向へスライドすることにより、第２のリリース片１１９ｂによって、イジェクトアーム２２の係止ピン５３を押圧し、イジェクトアーム２２をｃ１方向へ回動させる。これによりイジェクトアーム２２は、第２の支持ローラ５８が小径ディスク２Ｂの外周面から離間する。
【０１５２】
また、係止ピン５３は、第２のリリース片１１９ｂによって押圧されることにより、スライドガイドレール２４の第２の押圧辺７５を押圧し、スライドガイドレール２４を矢印ｄ１方向へスライドさせる。これにより、スライドガイドレール２４は、レール部材７３が小径ディスク２Ｂの外周面から離間する。その後、ユーザによる小径ディスク２Ｂに対する記録又は再生操作がなされると、ベースユニット１３０の各部が駆動され、小径ディスク２Ｂに対する情報信号の記録再生が行われる。
【０１５３】
記録再生動作が終了し、ユーザによって小径ディスク２Ｂの排出操作がなされると、先ず、駆動機構１５０の駆動モータ１５１が逆転され、メインスライダー１５２が図２４中矢印ｈ２方向へスライドされる。これにより、ローディングカムプレート２３は、スライダーピン４５が小径ディスク用カム部１５５ｂにガイドされることにより矢印ｂ２方向へ回動され、ローディングアーム２１を矢印ａ１方向へ回動させる。ローディングアーム２１は、矢印ａ１方向へ回動されることにより、ガイドローラ３３が小径ディスク２Ｂの外周面を支持する。
【０１５４】
また、メインスライダー１５２が矢印ｈ２方向へスライドされることにより、スライドアーム９１の矢印ｅ２方向への回動に連動して、スライド操作板９２が矢印ｆ２方向へスライドされる。これにより、スライド操作板９２の第２のリリース片１１９ｂによるイジェクトアーム２２の係止ピン５３への押圧、及び係止ピン５３を介してスライドガイドレール２４の第２の押圧辺７５への押圧が解除される。イジェクトアーム２２は、係止ピン５３への押圧が解除されることにより、コイルバネ５５の付勢力によって矢印ｃ２方向へ回動され、ディスク支持部５２の第２の支持ローラ５８で小径ディスク２Ｂの外周面を支持する。また、スライドガイドレール２４は、第２の押圧辺７５への押圧が解除されることにより、コイルバネ７９の付勢力によって矢印ｄ２方向へスライドし、レール部材７３が小径ディスク２Ｂの外周面と当接する。
【０１５５】
メインスライダー１５２は、さらに矢印ｈ２方向へスライドされると、サブスライダー１５３とともにトラバースシャーシ１３１を記録再生位置からチャッキング位置を経てチャッキング解除位置へ降下する。トラバースシャーシ１３１がチャッキング解除位置へ降下されることにより、小径ディスク２Ｂは、ボトムケース４に立設するチャッキング解除ピン１２に中心孔２ａの周辺が突き上げられ、係合突部１４３ａから外れる。
【０１５６】
ローディングアーム２１は、メインスライダー１５２が矢印ｈ２方向へスライドし、ローディングカムプレート２３が矢印ｂ１方向へ回動されると、矢印ａ２方向へ回動される。また、イジェクトアーム２２は、コイルバネ５５の付勢力によって矢印ｃ２方向へ回動され、小径ディスク２Ｂを排出していく。したがって、小径ディスク２Ｂは、イジェクトアーム２２及びローディングアーム２１によって挟持されながら、スライドガイドレール２４を摺動しながら真っ直ぐに排出されていく。
【０１５７】
このとき、イジェクトアーム２２は、第２の支持ローラ５８によって小径ディスク２Ｂを支持しているため、矢印ｃ２方向への回動に伴って小径ディスク２Ｂを押圧する際にも、小径ディスク２Ｂの排出方向に対する光ディスク２の押し出し角度を抑え、スムーズな排出を行うことができる。すなわち、小径ディスク２Ｂの排出は、イジェクトアーム２２のディスク支持部５２がディスク外周面を押圧することにより行われるが、排出開始時においてディスク支持部５２の押圧方向が排出方向に対して傾いていると、押圧力が装置本体３の左側面３ｃ側に分散する。小径ディスク２Ｂの左側面側に当接されているスライドガイドレール２４は、ローディングカムプレート２３によって矢印ｄ１方向へのスライドがロックされている。したがって、第１の支持ローラ５７のみで小径ディスク２Ｂを押圧使用とすると、スムーズな排出が困難となり、また小径ディスク２Ｂやイジェクトアーム２２、スライドガイドレール２４に過剰な負荷を与えることとなる。
【０１５８】
そこで、ディスクドライブ装置１では、小径ディスク２Ｂの排出時には、第２の支持ローラ５８を排出方向に対する傾きを抑えた角度で当接させ、スムーズな排出を可能としている。
【０１５９】
また、このとき、図２５に示すように、イジェクトアーム２２は、コイルバネ５５の付勢力だけでは小径ディスク２Ｂを排出しきる力量が不足するため、回動補助ピン５９がスライド操作板９２に設けられた回動補助バネ１２０によって付勢され、矢印ｃ２方向への回動が補助される。すなわち、メインスライダー１５２の矢印ｈ２方向へのスライドに連動してスライド操作板９２が矢印ｆ２方向へスライドされると、回動補助バネ１２０が、回動補助ピン５９の回動方向と同方向へスライドする。ここで、イジェクトアーム２２は、小径ディスク２Ｂを排出しきる力量が備えていないため、スライド操作板９２のｆ２方向へのスライド量に比して回動補助ピン５９の回動量が短い。したがって、回動補助バネ１２０は、回動補助ピン５９と当接し、押圧することにより、イジェクトアーム２２の矢印ｃ２方向への回動を補助する。
【０１６０】
また、図２５に示すように、イジェクトアーム２２は、コイルバネ５５及び回動補助バネ１２０の付勢力によって矢印ｃ２方向へ回動されると、第２の支持ローラ５８から第１の支持ローラ５７へ小径ディスク２Ｂの支持が移る。したがって、図２６に示すように、イジェクトアーム２２は、第２の支持ローラ５８のみ小径ディスク２Ｂを押し出すことによる押出し量不足を解消し、所定のディスク挿脱位置まで搬送することができる。
【０１６１】
そして、イジェクトアーム２２は、さらに矢印ｃ２方向へ回動されると、係止ピン５３がスライドガイドレール２４の第２の係止辺７７に係止される。このとき、メインスライダー１５２は、回路基板１０に設けられたホーム位置検出スイッチ１１ｅを押圧し、オフからオンに切り換える。次いで、メインスライダー１５２は、イジェクト位置検出スイッチ１１ｄを押圧し、オフからオンに切り換える。
【０１６２】
これにより、ディスク搬送機構２０は、小径ディスク２Ｂを、その中心孔２ａがディスク挿脱口１５より外部に臨むディスク挿脱位置で停止させ、またイジェクト位置検出スイッチ１１ｄがオンに切り換えられることにより、小径ディスク２Ｂをディスク挿脱位置まで排出したことがわかる。
【０１６３】
次いで、図２７に示すように、イジェクト位置検出スイッチ１１ｄがオンに切り換えられると、駆動機構１５０は、駆動モータ１５１を正転駆動させ、メインスライダー１５２を矢印ｈ１方向へスライドさせる。これにより、ディスク搬送機構２０は、スライドアーム９１の矢印ｅ１方向への回動に連動してスライド操作板９２が矢印ｆ１方向へスライドし、回動補助バネ１２０がイジェクトアーム２２の回動補助ピン５９から離間する。そして、ディスクドライブ装置１は、再度、ホーム位置検出スイッチ１１ｅがオンからオフへ切り換えられると駆動モータ１５１が停止し、メインスライダー１５２がホーム位置で停止し、初期の挿入待機状態に復帰する。
【０１６４】
［大径ディスクの挿排出行程］
次いで、挿入待機状態において、電源が投入され、大径ディスク２Ａがディスク挿脱口１５へ挿入された場合の搬送行程ついて説明する。大径ディスク２Ａが挿入されると、図２８に示すように、先ず、ローディングアーム２１は、大径ディスク２Ａの外周面をガイドローラ３３によって支持し、装置本体３内への挿入に伴って矢印ａ２方向へ回動される。ローディングアーム２１が矢印ａ２方向へ回動されると、ローディングカムプレート２３は、コイルバネ４７の付勢力に抗して矢印ｂ１方向へ回動され、図２９（ａ）に示すように、ロックピン４４がスライドガイドレール２４のロック溝７８から退避する。これにより、スライドガイドレール２４は、大径ディスク２Ａの挿入に伴って矢印ｄ１方向へスライドし、シャーシプレート９０上にスイッチレバーが臨まされている第２の大径ディスク検出スイッチ１１ｂを押下し、オフからオンへ切り換える。
【０１６５】
また、イジェクトアーム２２は、ディスク支持部５２のピックアップ部５６によって大径ディスク２Ａの挿入端を支持し、斜め挿入によるボトムケース４側への沈み込みを防止するとともに、第１の支持ローラ５７側へガイドする。第１の支持ローラ５７が大径ディスク２Ａの挿入端を支持すると、図２８に示すように、大径ディスク２Ａの挿入に応じて、イジェクトアーム２２は、コイルバネ５５の付勢力に抗して矢印ｃ１方向へ回動されていく。図２９（ｂ）に示すように、イジェクトアーム２２は、矢印ｃ１方向へ回動されると、スイッチ操作カム部６０によって小径ディスク検出スイッチ１１ｃへの押下を解除しオンからオフへ切り換え、第１の大径ディスク検出スイッチ１１ａを押下してオフからオンへ切り換える。ディスクドライブ装置１は、かかる第１、第２の大径ディスク検出スイッチ１１ａ，１１ｂがオンへ切り換えられることにより、大径ディスク２Ａが挿入されたことを検出することができる。
【０１６６】
第１の大径ディスク検出スイッチ１１ａが押下されると、駆動モータ１５１が正転駆動され、メインスライダー１５２が装置本体３の前面３ａ側に向かう矢印ｈ１方向へスライドする。このとき、ローディングカムプレート２３は、矢印ｂ１方向へ回動されているため、スライダーピン４５が大径ディスク用カム部１５５ａにガイドされ、図３０に示すように、矢印ｂ２方向へ回動していく。したがって、ローディングカムプレート２３は、メインスライダー１５２のスライドに連動して、ローディングアーム２１を矢印ａ１方向へ回動させ、大径ディスク２Ａを引き込んでいく。
【０１６７】
このとき、スライドガイドレール２４は、ガイド部７０に開口された開口部より左側面３ｃ側に突出されているセンタリングバネ８０の他端８０ｃが、装置本体３の左側面３ｃに当接している。したがって、スライドガイドレール２４は、センタリングバネ８０が撓まされることにより矢印ｄ２方向への付勢力が生じ、大径ディスク２Ａによる矢印ｄ１方向への押圧力に対向してセンタリング位置に維持される。したがって、スライドガイドレール２４は、大径ディスク２Ａの外周面をレール部材７３に摺動させ、真っ直ぐに搬送させることができる。
【０１６８】
また、図３１に示すように、メインスライダー１５２が矢印ｈ１方向へスライドすることにより、係合軸部１１１が回動カム１５６にガイドされてスライドアーム９１が矢印ｅ１方向へ回動され、スライドアーム９１の係合ピン１１２に押圧されてスライド操作板９２が矢印ｆ１方向へスライドされる。そして、スライド操作板９２の操作カム孔１１８に係合する位置規制板９３は、矢印ｇ１方向へスライドされ、規制辺１２５がスライドガイドレール２４のガイド軸８８の右側面３ｄ側に位置される。これにより、スライドガイドレール２４は、コイルバネ７９及びセンタリングバネ８０の付勢力による矢印ｄ２方向へのスライドが規制され、大径ディスク２Ａをディスク装着位置に支持するセンタリング位置に固定される。
【０１６９】
イジェクトアーム２２は、矢印ｃ１方向へ回動されるにつれて、図３１に示すように、ディスク支持部５２による大径ディスク２Ａの支持が第１の支持ローラ５７から第２の支持ローラ５８へと移る。すなわち、イジェクトアーム２２は、大径ディスク２Ａの引き込み、センタリング、及び排出の初期行程においては、第２の支持ローラ５８によって大径ディスク２Ａを支持する。
【０１７０】
大径ディスク２Ａは、ローディングアーム２１によってディスク装着部１３２のターンテーブル１３２ａと中心孔２ａとが対峙するディスク装着位置まで搬送される。このとき、ローディングアーム２１は、大径ディスク用カム部１５５ａにガイドされたローディングカムプレート２３によって矢印ａ１方向へ回動されて大径ディスク２Ａをディスク装着位置に保持するセンタリング位置まで引き込む。また、スライドガイドレール２４は、コイルバネ７９及びセンタリングバネ８０によって矢印ｄ２方向へスライド付勢されるとともに位置規制板９３の規制辺１２５にスライド位置が規制されることによって、大径ディスク２Ａをディスク装着位置で支持するセンタリング位置に保持される。そして、第２の支持ローラ５８によって大径ディスク２Ａの外周面を支持するイジェクトアーム２２は、コイルバネ５５により矢印ｃ２方向へ回動付勢され、大径ディスク２Ａをそれぞれセンタリング位置に停止しているスライドガイドレール２４及びローディングアーム２１に押圧する。これにより大径ディスク２Ａは、３点で支持されることによりディスク装着位置への位置合わせが行われる。なお、イジェクトアーム２２は、かかる大径ディスク２Ａのセンタリング位置において、係止ピン５３が、スライド操作板９２の第１のリリース片１１９ａのスライド領域上まで回動されるとともに、スライドガイドレール２４の第１の押圧辺７４と対向する。係止ピン５３は、大径ディスク２Ａのチャッキング動作の後、スライド操作板９２の第１のリリース片１１９ａによって押圧されるとともに、第１の押圧辺７４を押圧し、イジェクトアーム２２及びスライドガイドレール２４のリリース動作を行う。
【０１７１】
大径ディスク２Ａのセンタリングが終了したタイミングで、ベースユニット１３０は、上述した小径ディスク２Ｂの搬送時と同様に、トラバースシャーシ１３１がチャッキング解除位置からチャッキング位置を経て、記録再生位置まで昇降操作され、ユーザによる記録又は再生の操作を待機する。
【０１７２】
大径ディスク２Ａのチャッキングが行われると、ローディングカムプレート２３は、メインスライダー１５２の大径ディスク用カム部１５５ａにガイドされて矢印ｂ１方向へ回動し、ローディングアーム２１を矢印ａ２方向へ回動させる。これにより、図３２に示すように、ローディングアーム２１は、ガイドローラ３３が大径ディスク２Ａの外周面から離間する。
【０１７３】
また、スライド操作板９２は、メインスライダー１５２のスライドに連動してさらにｆ１方向へスライドすることにより、第１のリリース片１１９ａによって、イジェクトアーム２２の係止ピン５３を押圧し、イジェクトアーム２２をｃ１方向へ回動させる。これによりイジェクトアーム２２は、第２の支持ローラ５８が大径ディスク２Ａの外周面から離間する。
【０１７４】
また、係止ピン５３は、第１のリリース片１１９ａによって押圧されることにより、スライドガイドレール２４の第１の押圧辺７４を押圧し、スライドガイドレール２４を矢印ｄ１方向へスライドさせる。これにより、スライドガイドレール２４は、レール部材７３が大径ディスク２Ａの外周面から離間する。その後、ユーザによる大径ディスク２Ａに対する記録又は再生操作がなされると、ベースユニット１３０の各部が駆動され、大径ディスク２Ａに対する情報信号の記録再生が行われる。
【０１７５】
記録再生動作が終了し、ユーザによって大径ディスク２Ａの排出操作がなされると、先ず、駆動機構１５０の駆動モータ１５１が逆転され、メインスライダー１５２が矢印ｈ２方向へスライドされる。これにより、図３３に示すように、ローディングカムプレート２３は、スライダーピン４５が大径ディスク用カム部１５５ａにガイドされることにより矢印ｂ２方向へ回動され、ローディングアーム２１を矢印ａ１方向へ回動させる。ローディングアーム２１は、矢印ａ１方向へ回動されることにより、ガイドローラ３３が大径ディスク２Ａの外周面を支持する。
【０１７６】
また、メインスライダー１５２が矢印ｈ２方向へスライドされることにより、スライドアーム９１の矢印ｅ２方向への回動に連動して、スライド操作板９２が矢印ｆ２方向へスライドされる。これにより、スライド操作板９２の第１のリリース片１１９ａによるイジェクトアーム２２の係止ピン５３への押圧、及び係止ピン５３を介してスライドガイドレール２４の第１の押圧辺７４への押圧が解除される。イジェクトアーム２２は、係止ピン５３への押圧が解除されることにより、コイルバネ５５の付勢力によって矢印ｃ２方向へ回動され、ディスク支持部５２の第２の支持ローラ５８で大径ディスク２Ａの外周面を支持する。また、スライドガイドレール２４は、第１の押圧辺７４への押圧が解除されることにより、コイルバネ７９及びセンタリングバネ８０の付勢力によって矢印ｄ２方向へスライドし、レール部材７３が大径ディスク２Ａの外周面と当接する。
【０１７７】
メインスライダー１５２は、さらに矢印ｈ２方向へスライドされると、サブスライダー１５３とともにトラバースシャーシ１３１を記録再生位置からチャッキング位置を経てチャッキング解除位置へ降下する。トラバースシャーシ１３１がチャッキング解除位置へ降下されることにより、大径ディスク２Ａは、ボトムケース４に立設するチャッキング解除ピン１２に中心孔２ａの周辺が突き上げられ、係合突部１４３ａから外れる。
【０１７８】
ローディングアーム２１は、メインスライダー１５２が矢印ｈ２方向へスライドし、ローディングカムプレート２３が矢印ｂ１方向へ回動されると、矢印ａ２方向へ回動される。また、イジェクトアーム２２は、コイルバネ５５の付勢力によって矢印ｃ２方向へ回動され、大径ディスク２Ａを排出していく。したがって、大径ディスク２Ａは、イジェクトアーム２２及びローディングアーム２１によって挟持されながら、スライドガイドレール２４を摺動しながら真っ直ぐに排出されていく。
【０１７９】
このときも、小径ディスク２Ｂの排出時と同様に、イジェクトアーム２２は、第２の支持ローラ５８によって大径ディスク２Ａを支持しているため、矢印ｃ２方向への回動に伴って大径ディスク２Ａを押圧する際にも、大径ディスク２Ａの排出方向に対する光ディスク２の押し出し角度を抑え、大径ディスク２Ａやスライドガイドレール２４に過剰な負荷をかけることなくスムーズな排出を行うことができる。
【０１８０】
また、このときも、図３４に示すように、イジェクトアーム２２は、コイルバネ５５の付勢力だけでは大径ディスク２Ａを排出しきる力量が不足するため、回動補助ピン５９がスライド操作板９２に設けられた回動補助バネ１２０によって付勢され、矢印ｃ２方向への回動が補助される。すなわち、メインスライダー１５２の矢印ｈ２方向へのスライドに連動してスライド操作板９２が矢印ｆ２方向へスライドされると、回動補助バネ１２０が、回動補助ピン５９の回動方向と同方向へスライドする。ここで、イジェクトアーム２２は、大径ディスク２Ａを排出しきる力量が備えていないため、スライド操作板９２のｆ２方向へのスライド量に比して回動補助ピン５９の回動量が短い。したがって、回動補助バネ１２０は、回動補助ピン５９と当接し、押圧することにより、イジェクトアーム２２の矢印ｃ２方向への回動を補助する。
【０１８１】
また、イジェクトアーム２２は、コイルバネ５５及び回動補助バネ１２０の付勢力によって矢印ｃ２方向へ回動されると、第２の支持ローラ５８から第１の支持ローラ５７へ大径ディスク２Ａの支持が移る。したがって、図３５に示すように、イジェクトアーム２２は、第２の支持ローラ５８のみ大径ディスク２Ａを押し出すことによる押出し量不足を解消し、所定のディスク挿脱位置まで搬送することができる。
【０１８２】
そして、イジェクトアーム２２は、さらに矢印ｃ２方向へ回動されると、係止ピン５３がスライドガイドレール２４の第１の係止辺７６に係止される。このとき、メインスライダー１５２は、回路基板１０に設けられたホーム位置検出スイッチ１１ｅを押圧し、オフからオンに切り換える。次いで、メインスライダー１５２は、イジェクト位置検出スイッチ１１ｄを押圧し、オフからオンに切り換える。
【０１８３】
これにより、ディスク搬送機構２０は、大径ディスク２Ａを、その中心孔２ａがディスク挿脱口１５より外部に臨むディスク挿脱位置で停止させ、またイジェクト位置検出スイッチ１１ｄがオンに切り換えられることにより、大径ディスク２Ａをディスク挿脱位置まで排出したことがわかる。
【０１８４】
次いで、イジェクト位置検出スイッチ１１ｄがオンに切り換えられると、駆動機構１５０は、駆動モータ１５１を正転駆動させ、メインスライダー１５２を矢印ｈ１方向へスライドさせる。そして、ディスクドライブ装置１は、再度、ホーム位置検出スイッチ１１ｅがオンからオフへ切り換えられると駆動モータ１５１が停止する。
【０１８５】
大径ディスク２Ａがディスク挿脱口１５から抜き取られると、図３６に示すように、スライドガイドレール２４は、コイルバネ７９に付勢され矢印ｄ２方向へスライドされ、第１のスライドローラ８５がシャーシプレート９０に形成された第１のスライドガイド溝９５の右端に当接し、初期位置へ復帰する。また、スライドガイドレール２４が矢印ｄ２方向へスライドすることにより、第２の大径ディスク検出スイッチ１１ｂの押下が解除され、オンからオフへ切り換わる。
【０１８６】
また、大径ディスク２Ａが抜き取られることにより、イジェクトアーム２２は、コイルバネ５５に付勢され、矢印ｃ２方向へ回動される。このとき、スライド操作板９２は、メインスライダー１５２が初期位置へ復帰することにより、同様に初期位置へ復帰されているため、回動補助バネ１２０がイジェクトアーム２２の回動補助ピン５９と離間した位置にある。したがって、イジェクトアーム２２は、回動補助バネ１２０の付勢力が伝達されない状態とされる。
【０１８７】
また、大径ディスク２Ａが抜き取られることにより、ローディングカムプレート２３は、コイルバネ４７によって矢印ｂ２方向へ回動され、初期位置に復帰する。これにより、ローディングカムプレート２３は、ロックピン４４が初期位置に復帰したスライドガイドレール２４のロック溝７８に係合し矢印ｄ１方向へスライドを規制する。またローディングアーム２１は、ローディングカムプレート２３の矢印ｂ２方向への回動に伴って、同様に初期位置へ復帰する。これにより、ディスクドライブ装置１は、光ディスク２の挿入待機状態に復帰する。
【符号の説明】
【０１８８】
１  ディスクドライブ装置、２  光ディスク、２Ａ  大径ディスク、２Ｂ  小径ディスク、３  装置本体、４  ボトムケース、５  トップカバー、６  フロントパネル、１０  回路基板、１１  検出スイッチ群、１２  チャッキング解除ピン、１５  ディスク挿脱口、１９  デッキガイドレール、２０  ディスク搬送機構、２１  ローディングアーム、２２  イジェクトアーム、２３  ローディングカムプレート、２４  スライドガイドレール、２５  サブシャーシユニット、３３  ガイドローラ、４０  アーム係合部、４１  レールロック部、４４  ロックピン、４５  スライダーピン、４７  コイルバネ、５１  支軸、５２  ディスク支持部、５３  係止ピン、５５  コイルバネ、５６  ピックアップ部、５７  第１の支持ローラ、５８  第２の支持ローラ、５９  回動補助ピン、６０  スイッチ操作カム部、７０  ガイド部、７１  ガイドプレート、７３  レール部材、７４  第１の押圧辺、７５  第２の押圧辺、７６  第１の係止辺、７７  第２の係止辺、７８  ロック溝、７９  コイルバネ、８０  センタリングバネ、８５  第１のスライドガイドローラ、８６  第２のスライドガイドローラ、８７  ガイドピン、８８，８９  ガイド軸、９０  シャーシプレート、９１  スライドアーム、９２  スライド操作板、９３  位置規制板、９５〜９７  スライドガイド溝、１０４  軸受け部、１０５  支持ピン、１１０  軸孔部、１１１  係合軸部、１１２  係合ピン、１１７  係合孔、１１８  操作カム孔、１１９  リリース片、１２０  回動補助バネ、１２５  規制辺、１２６  レール付勢バネ、１３０  ベースユニット、１３１  トラバースシャーシ、１３２  ディスク装着部、１３３  ディスク回転駆動機構、１３５  光ピックアップ、１４３  チャッキング機構、１５０  駆動機構、１５１  駆動モータ、１５２  メインスライダー、１５３  サブスライダー、１５５  ローディングカム、１５６  回動カム、１５７  スライドカム、１６０  第１のカムスリット、１６５  第２のカムスリット
【図１】
2010176773.tif 000003
【図２】
2010176773.tif 000004
【図３】
2010176773.tif 000005
【図４】
2010176773.tif 000006
【図５】
2010176773.tif 000007
【図６】
2010176773.tif 000008
【図７】
2010176773.tif 000009
【図８】
2010176773.tif 000010
【図９】
2010176773.tif 000011
【図１０】
2010176773.tif 000012
【図１１】
2010176773.tif 000013
【図１２】
2010176773.tif 000014
【図１３】
2010176773.tif 000015
【図１４】
2010176773.tif 000016
【図１５】
2010176773.tif 000017
【図１６】
2010176773.tif 000018
【図１７】
2010176773.tif 000019
【図１８】
2010176773.tif 000020
【図１９】
2010176773.tif 000021
【図２０】
2010176773.tif 000022
【図２１】
2010176773.tif 000023
【図２２】
2010176773.tif 000024
【図２３】
2010176773.tif 000025
【図２４】
2010176773.tif 000026
【図２５】
2010176773.tif 000027
【図２６】
2010176773.tif 000028
【図２７】
2010176773.tif 000029
【図２８】
2010176773.tif 000030
【図２９】
2010176773.tif 000031
【図３０】
2010176773.tif 000032
【図３１】
2010176773.tif 000033
【図３２】
2010176773.tif 000034
【図３３】
2010176773.tif 000035
【図３４】
2010176773.tif 000036
【図３５】
2010176773.tif 000037
【図３６】
2010176773.tif 000038